(57)【要約】本発明は、光学ズーム装置（１）に関し、光学ズーム装置は、調整可能な焦点距離を有し、透明な流体（Ｆ）で満たされた容器（４１）を備える第一のレンズ（３１）であって、第一のレンズの容器が、第一のレンズの容器の透明な壁（２１）に面する弾性的に変形可能で透明な膜（６１）を備える、第一のレンズと、調整可能な焦点距離を有する第二のレンズ（３２）であって、第二のレンズが、光学ズーム装置の光路（Ａ）で第一のレンズの後方に配置され、第二のレンズが、透明な液（Ｆ’）で満たされた容器（４２）を備え、第二のレンズの容器が、第二のレンズの容器の透明な壁（２２）に面する弾性変形可能で透明な膜（６２）と、光路に配置された偏向装置（７０）を備え、第二のレンズは、光路において光偏向装置（７０）の後方に配置されている、第二のレンズとを備える。【選択図】図１
2021521483.tif 000002
【特許請求の範囲】
【請求項１】
光学ズーム装置（１）であって、
調整可能な焦点距離を有し、透明な流体（Ｆ）で満たされた容器（４１）を備える第一のレンズであって、前記第一のレンズ（３１）の前記容器（４１）が、前記第一のレンズ（３１）の前記容器（４１）の透明な壁（２１）に面する弾性的に変形可能で透明な膜（６１）を備える、第一のレンズ（３１）と、
調整可能な焦点距離を有する第二のレンズ（３２）であって、前記光学ズーム装置（１）の光路（Ａ）内で前記第一のレンズ（３１）の後方に配置され、前記第二のレンズ（３２）が、透明な流体（Ｆ’）で満たされた容器（４２）を備え、前記第二のレンズ（３２）の前記容器（４２）が、前記第二のレンズ（３２）の前記容器（４２）の透明な壁（２２）に面する弾性的に変形可能で透明な膜（６２）を備える、第二のレンズ（３２）と、
前記光路（Ａ）内に配置された光偏向装置（７０）であって、前記第二のレンズ（３２）は、前記光路（Ａ）内の前記光偏向装置（７０）の後方に配置される、光偏向装置（７０）と、
を備える、光学ズーム装置（１）。
【請求項２】
前記第一のレンズ（３１）は、前記光路（Ａ）内で、前記光偏向装置（７０）の前方または前記光偏向装置（７０）の後方に配置されることを特徴とする、請求項１に記載の光学ズーム装置。
【請求項３】
前記光学ズーム装置（１）は、調整可能な焦点距離を有する第三のレンズ（３３）を備え、前記第三のレンズ（３３）は、透明な流体（Ｆ”）で満たされた容器（４３）を備え、前記第三のレンズ（３３）の前記容器（４３）は、前記第三のレンズ（３３）の前記容器（４３）の透明な壁（２３）に面する弾性変形可能で透明な膜（６３）を備えることを特徴とする、請求項１または２に記載の光学ズーム装置。
【請求項４】
前記第三のレンズ（３３）は、前記光路（Ａ）内で前記光偏向装置（７０）の後方に配置されることを特徴とする、請求項３に記載の光学ズーム装置。
【請求項５】
前記第三のレンズ（３３）は、前記光路（Ａ）内で前記第二のレンズ（３２）の後方に配置されることを特徴とする、請求項３または４に記載の光学ズーム装置。
【請求項６】
前記光学ズーム装置（１）は、前記光路（Ａ）内に配置された開口絞り（８０）を備えることを特徴とする、請求項１〜５のいずれか一項に記載の光学ズーム装置。
【請求項７】
前記光路（Ａ）内で前記光偏向装置（７０）の後方に前記開口絞り（８０）が配置されることを特徴とする、請求項６に記載の光学ズーム装置。
【請求項８】
前記開口絞り（８０）は、前記光路（Ａ）内で、前記第一のレンズ（３１）と前記第二のレンズ（３２）との間に配置されることを特徴とする、請求項６または７に記載の光学ズーム装置。
【請求項９】
前記開口絞り（８０）は、前記光路（Ａ）内で、前記第二のレンズ（３２）と前記第三のレンズ（３３）との間に配置されることを特徴とする、請求項３〜５のいずれか一項および請求項６〜７のいずれか一項に記載の光学ズーム装置。
【請求項１０】
前記光学ズーム装置（１）は、前記光路（Ａ）内で、前記光偏向装置（７０）の前方に配置された剛性レンズ（９０）を備えることを特徴とする、請求項１〜９のいずれか一項に記載の光学ズーム装置。
【請求項１１】
前記光学ズーム装置（１）は、前記光路（Ａ）内で、前記光偏向装置（７０）の後方、および／または前記第一のレンズ（３１）の後方に配置された少なくとも１つの剛性レンズ（９１）を備えることを特徴とする、請求項１〜１０のいずれか一項に記載の光学ズーム装置。
【請求項１２】
前記光学ズーム装置（１）は、前記光路（Ａ）内で、前記第二のレンズ（３２）の後方、または前記第三のレンズ（３３）の後方に配置された画像センサ（１００）を備えることを特徴とする、請求項１〜１１のいずれか一項に記載の光学ズーム装置。
【請求項１３】
前記第一のレンズ（３１）の焦点距離を調整するために、前記第一のレンズ（３１）の前記膜（６１）は、調整可能な曲率を有する前記第一のレンズ（３１）の前記膜（６１）の領域（６１ａ）を画定すべく、前記第一のレンズ（３１）の円周レンズ整形要素（７１）に接続されること、および／または
前記第二のレンズ（３２）の焦点距離を調整するために、前記第二のレンズ（３２）の前記膜（６２）は、調整可能な曲率を有する前記第二のレンズ（３２）の前記膜（６２）の領域（６２ａ）を画定すべく、前記第二のレンズ（３２）の円周レンズ整形要素（７２）に接続されること、および／または
前記第三のレンズ（３３）の焦点距離を調整するために、前記第三のレンズ（３３）の前記膜（６３）は、調整可能な曲率を有する前記第三のレンズ（３３）の前記膜（６３）の領域（６３ａ）を画定すべく、前記第三のレンズ（３３）の円周レンズ整形要素（７３）に接続されること、
を特徴とする、請求項１〜１２のいずれか一項に記載の光学ズーム装置。
【請求項１４】
前記第一のレンズ（３１）の前記容器（４１）は、前記流体（Ｆ）で満たされたレンズ容積（Ｖ１）と、前記流体（Ｆ）で満たされ、前記第一のレンズ（３１）の前記容器（４１）の前記レンズ容積（Ｖ１）に接続された少なくとも１つの第一のリザーバ容積（Ｒ１）とを囲み、前記第一のレンズ（３１）の前記容器（４１）が、前記第一のレンズ（３１）の前記容器（４１）の前記少なくとも１つの第一のリザーバ容積（Ｒ１）に隣接する弾性変形可能な第一の壁部材（４１ａ）を備えること、および／または
前記第二のレンズ（３２）の前記容器（４２）は、前記流体（Ｆ’）で満たされたレンズ容積（Ｖ２）と、前記流体（Ｆ’）で満たされ、前記第二のレンズ（３２）の前記容器（４２）の前記レンズ容積（Ｖ２）に接続された少なくとも１つの第一のリザーバ容積（Ｒ２）とを囲み、前記第二のレンズ（３２）の前記容器（４２）が、前記第二のレンズ（３２）の前記容器（４２）の前記少なくとも１つの第一のリザーバ容積（Ｒ２）に隣接する弾性変形可能な第一の壁部材（４２ａ）を備えること、および／または
前記第三のレンズ（３３）の前記容器（４３）は、前記流体（Ｆ”）で満たされたレンズ容積（Ｖ３）と、前記流体（Ｆ”）で満たされ、前記第三のレンズ（３３）の前記容器（４３）の前記レンズ容積（Ｖ３）に接続された少なくとも１つの第一のリザーバ容積（Ｒ３）とを囲み、前記第三のレンズ（３３）の前記容器（４３）が、前記第三のレンズ（３３）の前記容器（４３）の前記少なくとも１つの第一のリザーバ容積（Ｒ３）に隣接する弾性変形可能な第一の壁部材（４３ａ）を備えること、
を特徴とする、請求項１〜１３のいずれか一項に記載の光学ズーム装置。
【請求項１５】
前記第一のレンズ（３１）の前記容器（４１）の前記弾性変形可能な第一の壁部材（４１ａ）は、前記第一のレンズ（３１）の前記膜（６１）によって形成されること、および／または
前記第二のレンズ（３２）の前記容器（４２）の前記弾性変形可能な第一の壁部材（４２ａ）は、前記第二のレンズ（３２）の前記膜（６２）によって形成されること、および／または
前記第三のレンズ（３３）の前記容器（４３）の前記弾性変形可能な第一の壁部材（４３ａ）は、前記第三のレンズ（３３）の前記膜（６３）によって形成されること
を特徴とする、請求項１４に記載の光学ズーム装置。
【請求項１６】
前記第一のレンズ（３１）の前記容器（４１）の前記少なくとも１つの第一のリザーバ容積（Ｒ１）は、前記第一のレンズ（３１）の前記容器（４１）の前記レンズ容積（Ｖ１）に横方向に隣接して、前記第一のレンズ（３１）の光軸に垂直な方向に配置されること、および／または
前記第二のレンズ（３２）の前記容器（４２）の前記少なくとも１つの第一のリザーバ容積（Ｒ２）は、前記第二のレンズ（３２）の前記容器（４２）の前記レンズ容積（Ｖ２）に横方向に隣接して、前記第二のレンズ（３２）の光軸に垂直な方向に配置されること、および／または
前記第三のレンズ（３３）の前記容器（４３）の前記少なくとも１つの第一のリザーバ容積（Ｒ３）は、前記第三のレンズ（３３）の前記容器（４３）の前記レンズ容積（Ｖ３）に横方向に隣接して、前記第三のレンズ（３３）の光軸に垂直な方向に配置されること、
を特徴とする、請求項１４または１５に記載の光学ズーム装置。
【請求項１７】
前記第一のレンズ（３１）の前記容器（４１）は、前記第一のレンズ（３１）の前記容器（４１）の前記レンズ容積（Ｖ１）に接続された第二のリザーバ容積（Ｒ１２）を囲み、前記第一のレンズ（３１）の前記容器（４１）は、前記第一のレンズ（３１）の前記容器（４１）の前記第二のリザーバ容積（Ｒ１２）に隣接する弾性変形可能な第二の壁部材（４１ｂ）を備えること、および／または
前記第二のレンズ（３２）の前記容器（４２）は、前記第二のレンズ（３２）の前記容器（４２）の前記レンズ容積（Ｖ２）に接続された第二のリザーバ容積（Ｒ２２）を囲み、前記第二のレンズ（３２）の前記容器（４２）は、前記第二のレンズ（３２）の前記容器（４２）の前記第二のリザーバ容積（Ｒ２２）に隣接する弾性変形可能な第二の壁部材（４２ｂ）を備えること、および／または
前記第三のレンズ（３３）の前記容器（４３）は、前記第三のレンズ（３３）の前記容器（４３）の前記レンズ容積（Ｖ３）に接続された第二のリザーバ容積（Ｒ３２）を囲み、前記第三のレンズ（３３）の前記容器（４３）は、前記第三のレンズ（３３）の前記容器（４３）の前記第二のリザーバ容積（Ｒ３２）に隣接する弾性変形可能な第二の壁部材（４３ｂ）を備えること、
を特徴とする、請求項１４〜１６のいずれか一項に記載の光学ズーム装置。
【請求項１８】
前記第一のレンズ（３１）の前記容器（４１）の前記壁（２１）は、特に前記第一のレンズ（３１）の前記少なくとも１つの第一のリザーバ容積（Ｒ１）を増加させるためのステップ（３０１）を含むこと、および／または
前記第二のレンズ（３２）の前記容器（４２）の前記壁（２２）は、特に前記第二のレンズ（３２）の前記少なくとも１つの第一のリザーバ容積（Ｒ２）を増加させるためのステップ（３０２）を含むこと、および／または
前記第三のレンズ（３３）の前記容器（４３）の前記壁（２３）は、特に前記第三のレンズ（３３）の前記少なくとも１つの第一のリザーバ容積（Ｒ３）を増加させるためのステップ（３０３）を含むこと、
を特徴とする、請求項１〜１７のいずれか一項に記載の光学ズーム装置。
【請求項１９】
前記第一のレンズ（３１）の前記容器（４１）の前記第一および第二のリザーバ容積（Ｒ１、Ｒ１２）は、前記第一のレンズ（３１）の光軸に垂直な方向に互いに面し、前記第一のレンズ（３１）の前記容器（４１）の前記レンズ容積（Ｖ１）の同じ側に配置されること、または前記第一のレンズ（３１）の前記容器（４１）の前記レンズ容積（Ｖ１）の両側に配置されること、および／または
前記第二のレンズ（３２）の前記容器（４２）の前記第一および第二のリザーバ容積（Ｒ２、Ｒ２２）は、前記第二のレンズ（３２）の光軸に垂直な方向に互いに面し、前記第二のレンズ（３２）の前記容器（４２）の前記レンズ容積（Ｖ２）の同じ側に配置されること、または前記第二のレンズ（３２）の前記容器（４２）の前記レンズ容積（Ｖ２）の両側に配置されること、および／または
前記第三のレンズ（３３）の前記容器（４３）の前記第一および第二のリザーバ容積（Ｒ３、Ｒ３２）は、前記第三のレンズ（３３）の光軸に垂直な方向に互いに面し、前記第三のレンズ（３３）の前記容器（４３）の前記レンズ容積（Ｖ３）の同じ側に配置されること、または前記第三のレンズ（３３）の前記容器（４３）の前記レンズ容積（Ｖ３）の両側に配置されること、
を特徴とする、請求項１４および１７に記載の光学ズーム装置。
【請求項２０】
前記第一のレンズ（３１）の前記容器（４１）は、前記第一のレンズ（３１）の前記容器（４１）の側壁を形成するフレーム構造体（５１）を備え、前記第一のレンズ（３１）の前記容器（４１）の前記フレーム構造体（５１）は、前記第一のレンズ（３１）の前記容器（４１）の前記膜（６１）によって、特に前記第一のレンズ（３１）の前記容器（４１）の前記壁（２１）によって覆われる前記第一のレンズ（３１）の前記容器（４１）の前記レンズ容積（Ｖ１）を形成する第一の凹部（５１ａ）を備え、前記第一のレンズ（３１）の前記容器（４１）の前記フレーム構造体（５１）は、前記第一のレンズ（３１）の前記容器（４１）の前記第一の壁部材（４１ａ）によって、特に前記第一のレンズ（３１）の前記容器（４１）の前記壁（２１）によって覆われる前記第一のレンズ（３１）の前記容器（４１）の前記少なくとも１つの第一のリザーバ容積（Ｒ１）を形成する第二の凹部（５１ｂ）を備えること、および／または
前記第二のレンズ（３２）の前記容器（４２）は、前記第二のレンズ（３２）の前記容器（４２）の側壁を形成するフレーム構造体（５２）を備え、前記第二のレンズ（３２）の前記容器（４２）の前記フレーム構造体（５２）は、前記第二のレンズ（３２）の前記容器（４２）の前記膜（６２）によって、特に前記第二のレンズ（３２）の前記容器（４２）の前記壁（２２）によって覆われる前記第二のレンズ（３２）の前記容器（４２）の前記レンズ容積（Ｖ２）を形成する第一の凹部（５２ａ）を備え、前記第二のレンズ（３２）の前記容器（４２）の前記フレーム構造体（５２）は、前記第二のレンズ（３２）の前記容器（４２）の前記第一の壁部材（４２ａ）によって、特に前記第二のレンズ（３２）の前記容器（４２）の前記壁（２２）によって覆われる前記第二のレンズ（３２）の前記容器（４２）の前記少なくとも１つの第一のリザーバ容積（Ｒ２）を形成する第二の凹部（５２ｂ）を備えること、および／または
前記第三のレンズ（３３）の前記容器（４３）は、前記第三のレンズ（３３）の前記容器（４３）の側壁を形成するフレーム構造体（５３）を備え、前記第三のレンズ（３３）の前記容器（４３）の前記フレーム構造体（５３）は、前記第三のレンズ（３３）の前記容器（４３）の前記膜（６３）によって、特に前記第三のレンズ（３３）の前記容器（４３）の前記壁（２３）によって覆われる前記第三のレンズ（３３）の前記容器（４３）の前記レンズ容積（Ｖ３）を形成する第一の凹部（５３ａ）を備え、前記第三のレンズ（３３）の前記容器（４３）の前記フレーム構造体（５３）は、前記第三のレンズ（３３）の前記容器（４３）の前記第一の壁部材（４３ａ）によって、特に前記第三のレンズ（３３）の前記容器（４３）の前記壁（２３）によって覆われる前記第三のレンズ（３３）の前記容器（４３）の前記少なくとも１つの第一のリザーバ容積（Ｒ３）を形成する第二の凹部（５３ｂ）を備えること、
を特徴とする、請求項１４〜１９のいずれか一項に記載の光学ズーム装置。
【請求項２１】
前記第一のレンズ（３１）の前記容器（４１）の前記フレーム構造体（５１）が、前記第一のレンズ（３１）の前記容器（４１）の前記第二の壁部材（４１ｂ）によって、特に前記第一のレンズ（３１）の前記容器（４１）の前記壁（２１）によって覆われる、前記第一のレンズ（３１）の前記容器（４１）の前記第二のリザーバ容積（Ｒ１２）を形成する第三の凹部（５１ｃ）を備えること、および／または
前記第二のレンズ（３２）の前記容器（４２）の前記フレーム構造体（５２）は、前記第二のレンズ（３２）の前記容器（４２）の前記第二の壁部材（４２ｂ）によって、特に前記第二のレンズ（３２）の前記容器（４２）の前記壁（２２）によって覆われる、前記第二のレンズ（３２）の前記容器（４２）の前記第二のリザーバ容積（Ｒ２２）を形成する第三の凹部（５１ｃ）を備えること、および／または
前記第三のレンズ（３３）の前記容器（４３）の前記フレーム構造体（５３）は、前記第三のレンズ（３３）の前記容器（４３）の前記第二の壁部材（４３ｂ）によって、特に前記第三のレンズ（３３）の前記容器（４３）の前記壁（２３）によって覆われる、前記第三のレンズ（３３）の前記容器（４３）の前記第二のリザーバ容積（Ｒ３２）を形成する第三の凹部（５１ｃ）を備えること、
を特徴とする、請求項１７および２０に記載の光学ズーム装置。
【請求項２２】
前記第一のレンズ（３１）の前記フレーム構造体（５１）の前記第一の凹部（５１ａ）は、前記第一のレンズ（３１）の前記レンズ整形要素（７１）を形成する周縁（７１）を備えること、および／または
前記第二のレンズ（３２）の前記フレーム構造体（５２）の前記第一の凹部（５２ａ）は、前記第二のレンズ（３２）の前記レンズ整形要素（７２）を形成する周縁（７２）を備えること、および／または
前記第三のレンズ（３３）の前記フレーム構造体（５３）の前記第一の凹部（５３ａ）は、前記第三のレンズ（３３）の前記レンズ整形要素（７３）を形成する周縁（７３）を備えること、
を特徴とする、請求項１３および請求項２０または２１に記載の光学ズーム装置。
【請求項２３】
前記第一のレンズ（３１）の前記容器（４１）の前記壁（２１）は、弾性的に変形可能で透明な更なる膜（２１）であること、および／または
前記第二のレンズ（３２）の前記容器（４２）の前記壁（２２）は、弾性的に変形可能で透明な更なる膜（２２）であること、および／または
前記第三のレンズ（３３）の前記容器（４３）の前記壁（２３）は、弾性的に変形可能で透明な更なる膜（２３）であること、
を特徴とする、請求項１〜２２のいずれか一項に記載の光学ズーム装置。
【請求項２４】
前記第一のレンズ（３１）の前記更なる膜（２１）は、調整可能な曲率を有する前記第一のレンズ（３１）の前記更なる膜（２１）の領域（６１ｂ）を画定するために、前記第一のレンズ（３１）の更なる円周レンズ整形要素（１７１）に接続されること、および／または
前記第二のレンズ（３２）の前記更なる膜（２２）は、調整可能な曲率を有する前記第二のレンズ（３２）の前記更なる膜（２２）の領域（６２ｂ）を画定するために、前記第二のレンズ（３２）の更なる円周レンズ整形要素（１７２）に接続されること、および／または
前記第三のレンズ（３３）の前記更なる膜（２３）は、調整可能な曲率を有する前記第三のレンズ（３３）の前記更なる膜（２３）の領域（６３ｂ）を画定するために、前記第三のレンズ（３３）の更なる円周レンズ整形要素（１７３）に接続されること、
を特徴とする、請求項２３に記載の光学ズーム装置。
【請求項２５】
前記第一のレンズ（３１）の前記フレーム構造体（５１）の前記第一の凹部（５１ａ）は、前記第一のレンズ（３１）の前記更なるレンズ整形要素（１７１）を形成する更なる周縁（１７１）を備えること、および／または
前記第二のレンズ（３２）の前記フレーム構造体（５２）の前記第一の凹部（５２ａ）は、前記第二のレンズ（３２）の前記更なるレンズ整形要素（１７２）を形成する更なる周縁（１７２）を備えること、および／または
前記第三のレンズ（３３）の前記フレーム構造体（５３）の前記第一の凹部（５３ａ）は、前記第三のレンズ（３３）の前記更なるレンズ整形要素（１７３）を形成する更なる周縁（１７３）を備えること、
を特徴とする、請求項２０および２４に記載の光学ズーム装置。
【請求項２６】
前記第一のレンズ（３１）の前記レンズ容積（Ｖ１）は、透明な分離壁（７５）によって、第一のレンズ容積部（Ｖ１１）と第二のレンズ容積部（Ｖ１２）とに分離され、前記第一のレンズ（３１）の前記第一のレンズ容積部（Ｖ１１）は、前記第一のレンズ（３１）の前記第一のリザーバ容積（Ｒ１）に接続され、前記第一のレンズ（３１）の前記第二のレンズ容積部（Ｖ１２）は、前記第一のレンズ（３１）の前記第二のリザーバ容積（Ｒ１２）に接続されること、および／または
前記第二のレンズ（３２）の前記レンズ容積（Ｖ２）は、透明な分離壁（７６）によって、第一のレンズ容積部（Ｖ２１）と第二のレンズ容積部（Ｖ２２）とに分離され、前記第二のレンズ（３２）の前記第一のレンズ容積部（Ｖ２１）は、前記第二のレンズ（３２）の前記第一のリザーバ容積（Ｒ２）に接続され、前記第二のレンズ（３１）の前記第二のレンズ容積部（Ｖ２２）は、前記第二のレンズ（３２）の前記第二のリザーバ容積（Ｒ２２）に接続されること、および／または
前記第三のレンズ（３３）の前記レンズ容積（Ｖ３）は、透明な分離壁（７７）によって、第一のレンズ容積部（Ｖ３１）と第二のレンズ容積部（Ｖ３２）とに分離され、前記第三のレンズ（３３）の前記第一のレンズ容積部（Ｖ３１）は、前記第三のレンズ（３３）の前記第一のリザーバ容積（Ｒ３）に接続され、前記第三のレンズ（３３）の前記第二のレンズ容積部（Ｖ３２）は、前記第三のレンズ（３３）の前記第二のリザーバ容積（Ｒ３２）に接続されること、
を特徴とする、請求項１４〜２５に記載のいずれか一項に記載の光学ズーム装置。
【請求項２７】
前記第一のレンズ（３１）は、前記第一のレンズ（３１）の前記容器（４１）の前記弾性変形可能な第一の壁部材（４１ａ）に作用して、前記第一のレンズ（３１）の前記少なくとも１つの第一のリザーバ容積（Ｒ１）から前記第一のレンズ（３１）の前記レンズ容積（Ｖ１）内に、または前記第一のレンズ（３１）の前記レンズ容積（Ｖ１）から前記第一のレンズ（３１）の前記少なくとも１つの第一のリザーバ容積（Ｒ１）内に流体（Ｆ）をポンピングするように構成されたアクチュエータ（１１１）を備え、前記第一のレンズ（３１）の前記膜（６１）の前記領域（６１ａ）の前記曲率を変化させ、それとともに前記第一のレンズ（３１）の前記焦点距離を変化させること、および／または
前記第二のレンズ（３２）は、前記第二のレンズ（３２）の前記容器（４２）の前記弾性変形可能な第一の壁部材（４２ａ）に作用して、前記第二のレンズ（３２）の前記少なくとも１つの第一のリザーバ容積（Ｒ２）から前記第二のレンズ（３２）の前記レンズ容積（Ｖ２）内に、または前記第二のレンズ（３２）の前記レンズ容積（Ｖ２）から前記第二のレンズ（３２）の前記少なくとも１つの第一のリザーバ容積（Ｒ２）内に流体（Ｆ’）をポンピングするように構成されたアクチュエータ（１１２）を備え、前記第二のレンズ（３２）の前記膜（６２）の前記領域（６２ａ）の前記曲率を変化させ、それとともに前記第二のレンズ（３２）の前記焦点距離を変化させること、および／または
前記第三のレンズ（３３）は、前記第三のレンズ（３３）の前記容器（４３）の前記弾性変形可能な第一の壁部材（４３ａ）に作用して、前記第三のレンズ（３３）の前記少なくとも１つの第一のリザーバ容積（Ｒ３）から前記第二のレンズ（３３）の前記レンズ容積（Ｖ３）内に、または前記第三のレンズ（３３）の前記レンズ容積（Ｖ３）から前記第三のレンズ（３３）の前記少なくとも１つの第一のリザーバ容積（Ｒ３）内に流体（Ｆ”）をポンピングするように構成されたアクチュエータ（１１３）を備え、前記第三のレンズ（３３）の前記膜（６３）の前記領域（６３ａ）の前記曲率を変化させ、それとともに前記第三のレンズ（３３）の前記焦点距離を変化させること、
を特徴とする、請求項１４〜２５のいずれか一項に記載の光学ズーム装置。
【請求項２８】
前記第一のレンズ（３１）の前記アクチュエータ（１１１）が、前記第一のレンズ（３１）の前記容器（４１）の前記弾性変形可能な第二の壁部材（４１ｂ）に作用して、前記第一のレンズ（３１）の前記第二のリザーバ容積（Ｒ１２）から前記第一のレンズ（３１）の前記レンズ容積（Ｖ１）内に、または前記第一のレンズ（３１）の前記レンズ容積（Ｖ１）から前記第一のレンズ（３１）の前記第二のリザーバ容積（Ｒ１２）内に流体（Ｆ）をポンピングするように、さらに構成され、前記第一のレンズ（３１）の前記膜（６１）の前記領域（６１ａ）の前記曲率を変化させ、それとともに前記第一のレンズ（３１）の前記焦点距離を変化させること、および／または
前記第二のレンズ（３２）の前記アクチュエータ（１１２）が、前記第二のレンズ（３２）の前記容器（４２）の前記弾性変形可能な第二の壁部材（４２ｂ）に作用して、前記第二のレンズ（３２）の前記第二のリザーバ容積（Ｒ２２）から前記第二のレンズ（３２）の前記レンズ容積（Ｖ２）内に、または前記第二のレンズ（３２）の前記レンズ容積（Ｖ２）から前記第二のレンズ（３２）の前記第二のリザーバ容積（Ｒ２２）内に流体（Ｆ’）をポンピングするように、さらに構成され、前記第二のレンズ（３２）の前記膜（６２）の前記領域（６２ａ）の前記曲率を変化させ、それとともに前記第二のレンズ（３２）の前記焦点距離を変化させること、および／または
前記第三のレンズ（３３）の前記アクチュエータ（１１３）が、前記第三のレンズ（３３）の前記容器（４３）の前記弾性変形可能な第二の壁部材（４３ｂ）に作用して、前記第三のレンズ（３３）の前記第二のリザーバ容積（Ｒ３２）から前記第三のレンズ（３３）の前記レンズ容積（Ｖ３）内に、または前記第三のレンズ（３３）の前記レンズ容積（Ｖ３）から前記第三のレンズ（３３）の前記第二のリザーバ容積（Ｒ３２）内に流体（Ｆ”）をポンピングするように、さらに構成され、前記第三のレンズ（３３）の前記膜（６３）の前記領域（６３ａ）の前記曲率を変化させ、それとともに前記第三のレンズ（３３）の前記焦点距離を変化させること、
を特徴とする、請求項１４〜２５のいずれか一項に記載の光学ズーム装置。
【請求項２９】
前記第一のレンズ（３１）は、前記第一のレンズ（３１）の前記容器（４１）の前記弾性変形可能な第一の壁部材（４１ａ）に作用して、前記第一のレンズ（３１）の前記第一のリザーバ容積（Ｒ１）から前記第一のレンズ（３１）の前記第一のレンズ容積部（Ｖ１１）内に、または前記第一のレンズ（３１）の前記第一のレンズ容積部（Ｖ１１）から前記第一のレンズ（３１）の第一のリザーバ容積（Ｒ１）内に流体（Ｆ）をポンピングするように構成されたアクチュエータ（１１１）を備え、こうして、前記第一のレンズ（３１）の前記領域（６１ａ）の前記曲率を変化させ、それとともに前記第一のレンズ（３１）の前記焦点距離を変化させること、および／または
前記第二のレンズ（３２）は、前記第二のレンズ（３２）の前記容器（４２）の前記弾性変形可能な第一の壁部材（４２ａ）に作用して、前記第二のレンズ（３２）の前記第一のリザーバ容積（Ｒ２）から前記第二のレンズ（３２）の前記第一のレンズ容積部（Ｖ２１）内に、または前記第二のレンズ（３２）の前記第一のレンズ容積部（Ｖ２１）から前記第二のレンズ（３２）の第一のリザーバ容積（Ｒ２）内に流体（Ｆ’）をポンピングするように構成されたアクチュエータ（１１２）を備え、こうして、前記第二のレンズ（３２）の前記領域（６２ａ）の前記曲率を変化させ、それとともに前記第二のレンズ（３２）の前記焦点距離を変化させること、および／または
前記第三のレンズ（３３）は、前記第三のレンズ（３３）の前記容器（４３）の前記弾性変形可能な第一の壁部材（４３ａ）に作用して、前記第三のレンズ（３３）の前記第一のリザーバ容積（Ｒ３）から前記第三のレンズ（３３）の前記第一のレンズ容積部（Ｖ３１）内に、または前記第三のレンズ（３３）の前記第一のレンズ容積部（Ｖ３１）から前記第三のレンズ（３３）の第一のリザーバ容積（Ｒ３）内に流体（Ｆ”）をポンピングするように構成されたアクチュエータ（１１３）を備え、こうして、前記第三のレンズ（３３）の前記領域（６３ａ）の前記曲率を変化させ、それとともに前記第三のレンズ（３３）の前記焦点距離を変化させること、
を特徴とする、請求項１４〜２６のいずれか一項に記載の光学ズーム装置。
【請求項３０】
前記第一のレンズ（３１）の前記アクチュエータ（１１１）は、前記第一のレンズ（３１）の前記容器（４１）の前記弾性変形可能な第二の壁部材（４１ｂ）に作用して、前記第一のレンズ（３１）の前記第二のリザーバ容積（Ｒ１２）から前記第一のレンズ（３１）の前記第二のレンズ容積部（Ｖ１２）内に、または前記第一のレンズ（３１）の前記第二のレンズ容積部（Ｖ１２）から前記第一のレンズ（３１）の前記第二のリザーバ容積（Ｒ１２）に流体（Ｆ）をポンピングするように、さらに構成され、こうして、前記第一のレンズ（３１）の前記更なる膜（２１）の前記領域（６１ｂ）の前記曲率を変化させ、それとともに前記第一のレンズ（３１）の前記焦点距離を変化させること、および／または
前記第二のレンズ（３２）の前記アクチュエータ（１１２）は、前記第二のレンズ（３２）の前記容器（４２）の前記弾性変形可能な第二の壁部材（４２ｂ）に作用して、前記第二のレンズ（３２）の前記第二のリザーバ容積（Ｒ２２）から前記第二のレンズ（３２）の前記第二のレンズ容積部（Ｖ２２）内に、または前記第二のレンズ（３２）の前記第二のレンズ容積部（Ｖ２２）から前記第二のレンズ（３２）の前記第二のリザーバ容積（Ｒ２２）に流体（Ｆ’）をポンピングするように、さらに構成され、こうして、前記第二のレンズ（３２）の前記更なる膜（２２）の前記領域（６２ｂ）の前記曲率を変化させ、それとともに前記第二のレンズ（３２）の前記焦点距離を変化させること、および／または
前記第三のレンズ（３３）の前記アクチュエータ（１１３）は、前記第三のレンズ（３３）の前記容器（４３）の前記弾性変形可能な第二の壁部材（４３ｂ）に作用して、前記第三のレンズ（３３）の前記第二のリザーバ容積（Ｒ３２）から前記第三のレンズ（３３）の前記第二のレンズ容積部（Ｖ３２）内に、または前記第三のレンズ（３３）の前記第二のレンズ容積部（Ｖ３２）から前記第三のレンズ（３３）の前記第二のリザーバ容積（Ｒ３２）に流体（Ｆ”）をポンピングするように、さらに構成され、こうして、前記第三のレンズ（３３）の前記更なる膜（２３）の前記領域（６３ｂ）の前記曲率を変化させ、それとともに前記第三のレンズ（３３）の前記焦点距離を変化させること、
を特徴とする、請求項１４〜２６のいずれか一項に記載の光学ズーム装置。
【請求項３１】
前記第一のレンズ（３１）の前記アクチュエータ（１１１）は、前記第一のレンズ（３１）の前記容器（４１）の前記弾性変形可能な第一の壁部材（４１ａ）を押したり引いたりするように、および／または前記第一のレンズ（３１）の前記容器（４１）の前記弾性変形可能な第二の壁部材（４１ｂ）を押したり引いたりするように構成されたピストン構造（２０１）を備えること、および／または
前記第二のレンズ（３２）の前記アクチュエータ（１１２）は、前記第二のレンズ（３２）の前記容器（４２）の前記弾性変形可能な第一の壁部材（４２ａ）を押したり引いたりするように、および／または前記第二のレンズ（３２）の前記容器（４２）の前記弾性変形可能な第二の壁部材（４２ｂ）を押したり引いたりするように構成されたピストン構造（２０２）を備えること、および／または
前記第三のレンズ（３３）の前記アクチュエータ（１１３）は、前記第三のレンズ（３３）の前記容器（４３）の前記弾性変形可能な第一の壁部材（４３ａ）を押したり引いたりするように、および／または前記第三のレンズ（３３）の前記容器（４３）の前記弾性変形可能な第二の壁部材（４３ｂ）を押したり引いたりするように構成されたピストン構造（２０３）を備えること、
を特徴とする、請求項２７〜３０のいずれか一項に記載の光学ズーム装置。
【請求項３２】
前記第一のレンズ（３１）の前記アクチュエータ（１１１）は、前記第一のレンズ（３１）の前記アクチュエータ（１１１）の前記ピストン構造（２０１）に接続され、前記第一のレンズ（３１）の前記アクチュエータ（１１１）の磁石（２２１）と相互作用するように構成された導電性コイル（２１１）を備え、こうして、前記第一のレンズ（３１）の前記アクチュエータ（１１１）の前記ピストン構造（２０１）を移動させるようになっていること、および／または
前記第二のレンズ（３２）の前記アクチュエータ（１１２）は、前記第二のレンズ（３２）の前記アクチュエータ（１１２）の前記ピストン構造（２０２）に接続され、前記第二のレンズ（３２）の前記アクチュエータ（１１２）の磁石（２２２）と相互作用するように構成された導電性コイル（２１２）を備え、こうして、前記第二のレンズ（３２）の前記アクチュエータ（１１２）の前記ピストン構造（２０２）を移動させるようになっていること、および／または
前記第三のレンズ（３３）の前記アクチュエータ（１１３）は、前記第三のレンズ（３３）の前記アクチュエータ（１１３）の前記ピストン構造（２０３）に接続され、前記第三のレンズ（３３）の前記アクチュエータ（１１３）の磁石（２２３）と相互作用するように構成された導電性コイル（２１３）を備え、こうして、前記第三のレンズ（３３）の前記アクチュエータ（１１３）の前記ピストン構造（２０３）を移動させるようになっていること、
を特徴とする、請求項３１に記載の光学ズーム装置。
【請求項３３】
前記第一のレンズ（３１）の前記アクチュエータ（１１１）は、前記第一のレンズ（３１）の前記アクチュエータ（１１１）の前記ピストン構造（２０１）に接続される磁石（２２１）を備え、前記第一のレンズ（３１）の前記アクチュエータ（１１１）の前記導電性コイル（２１１）と相互作用するように構成され、こうして、前記第一のレンズ（３１）の前記アクチュエータ（１１１）の前記ピストン構造（２０１）を移動させるようになっていること、および／または
前記第二のレンズ（３２）の前記アクチュエータ（１１２）は、前記第二のレンズ（３２）の前記アクチュエータ（１１２）の前記ピストン構造（２０２）に接続される磁石（２２２）を備え、前記第二のレンズ（３２）の前記アクチュエータ（１１２）の前記導電性コイル（２１２）と相互作用するように構成され、こうして、前記第二のレンズ（３２）の前記アクチュエータ（１１２）の前記ピストン構造（２０２）を移動させるようになっていること、および／または
前記第三のレンズ（３３）の前記アクチュエータ（１１３）は、前記第三のレンズ（３３）の前記アクチュエータ（１１３）の前記ピストン構造（２０３）に接続される磁石（２２３）を備え、前記第三のレンズ（３３）の前記アクチュエータ（１１３）の前記導電性コイル（２１３）と相互作用するように構成され、こうして、前記第三のレンズ（３３）の前記アクチュエータ（１１３）の前記ピストン構造（２０３）を移動させるようになっていること、
を特徴とする、請求項３１に記載の光学ズーム装置。
【請求項３４】
前記第一のレンズ（３１）の前記容器（４１）の前記少なくとも１つの第一のリザーバ（Ｒ１）が、前記第一のレンズ（３１）の前記容器（４１）の前記弾性変形可能な第一の壁部材（４１ａ）が凸状膨出部を備えるように、前記流体（Ｆ）で満たされること、および／または
前記第二のレンズ（３２）の前記容器（４２）の前記少なくとも１つの第一のリザーバ（Ｒ２）が、前記第二のレンズ（３２）の前記容器（４２）の前記弾性変形可能な第一の壁部材（４２ａ）が凸状膨出部を備えるように、前記流体（Ｆ’）で満たされること、および／または
前記第三のレンズ（３３）の前記容器（４３）の前記少なくとも１つの第一のリザーバ（Ｒ３）が、前記第三のレンズ（３３）の前記容器（４３）の前記弾性変形可能な第一の壁部材（４３ａ）が凸状膨出部を備えるように、前記流体（Ｆ”）で満たされること、
を特徴とする、請求項１４〜３３のいずれか一項に記載の光学ズーム装置。
【請求項３５】
前記第一のレンズ（３１）の前記容器（４１）の前記第二のリザーバ（Ｒ１２）は、前記第一のレンズ（３１）の前記容器（４１）の前記弾性変形可能な第二の壁部材（４１ｂ）が凸状膨出部を備えるように、前記流体（Ｆ）で満たされること、および／または
前記第二のレンズ（３２）の前記容器（４２）の前記第二のリザーバ（Ｒ２２）は、前記第二のレンズ（３２）の前記容器（４２）の前記弾性変形可能な第二の壁部材（４２ｂ）が凸状膨出部を備えるように、前記流体（Ｆ’）で満たされること、および／または
前記第三のレンズ（３３）の前記容器（４３）の前記第二のリザーバ（Ｒ３２）は、前記第三のレンズ（３３）の前記容器（４３）の前記弾性変形可能な第二の壁部材（４３ｂ）が凸状膨出部を備えるように、前記流体（Ｆ”）で満たされること、
を特徴とする、請求項１７〜３４のいずれか一項に記載の光学ズーム装置。
【請求項３６】
前記第一のレンズ（３１）の前記容器（４１）は、前記流体（Ｆ）で満たされたレンズ容積（Ｖ１）を囲み、前記第一のレンズ（３１）の前記容器（４１）は、前記第一のレンズ（３１）の前記容器（４１）の前記壁（２１）に接続された変形可能な側壁（１２１）をさらに備え、前記第一のレンズ（３１）の前記膜（６１）の前記領域（６１ａ）の前記曲率を調整し、それとともに前記第一のレンズ（３１）の前記焦点距離を調整すること、および／または
前記第二のレンズ（３２）の前記容器（４２）は、前記流体（Ｆ’）で満たされたレンズ容積（Ｖ２）を囲み、前記第二のレンズ（３２）の前記容器（４２）は、前記第二のレンズ（３２）の前記容器（４２）の前記壁（２２）に接続された変形可能な側壁（１２２）をさらに備え、前記第二のレンズ（３２）の前記膜（６２）の前記領域（６２ａ）の前記曲率を調整し、それとともに前記第二のレンズ（３２）の前記焦点距離を調整すること、および／または
前記第三のレンズ（３３）の前記容器（４３）が、前記流体（Ｆ”）で満たされたレンズ容積（Ｖ３）を囲み、前記第三のレンズ（３３）の前記容器（４３）は、前記第三のレンズ（３３）の前記容器（４３）の前記壁（２３）に接続された変形可能な側壁（１２３）をさらに備え、前記第三のレンズ（３３）の前記膜（６３）の前記領域（６３ａ）の前記曲率を調整し、それとともに前記第三のレンズ（３３）の前記焦点距離を調整すること、
を特徴とする、請求項１〜１３のいずれか一項に記載の光学ズーム装置。
【請求項３７】
前記第一のレンズ（３１）は、前記第一のレンズ（３１）の前記膜（６１）の前記領域（６１ａ）の前記曲率を調整し、それとともに前記第一のレンズ（３１）の前記焦点距離を調整するように構成されたアクチュエータ（１１１）を備え、前記第一のレンズ（３１）の前記アクチュエータ（１１１）は、前記第一のレンズ（３１）の前記レンズ整形要素（７１）または前記第一のレンズ（３１）の前記容器（４１）の前記壁（２１）に作用して、前記第一のレンズ（３１）の前記容器（４１）の前記側壁（１２１）を変形させ、前記第一のレンズ（３１）の前記膜（６１）の前記領域（６１ａ）の前記曲率を調整するように構成されること、および／または
前記第二のレンズ（３２）は、前記第二のレンズ（３２）の前記膜（６２）の前記領域（６２ａ）の前記曲率を調整し、それとともに前記第二のレンズ（３２）の前記焦点距離を調整するように構成されたアクチュエータ（１１２）を備え、前記第二のレンズ（３２）の前記アクチュエータ（１１２）は、前記第二のレンズ（３２）の前記レンズ整形要素（７２）または前記第二のレンズ（３２）の前記容器（４２）の前記壁（２２）に作用して、前記第二のレンズ（３２）の前記容器（４２）の前記側壁（１２２）を変形させ、前記第二のレンズ（３２）の前記膜（６２）の前記領域（６２ａ）の前記曲率を調整するように構成されること、および／または
前記第三のレンズ（３３）は、前記第三のレンズ（３３）の前記膜（６３）の前記領域（６３ａ）の前記曲率を調整し、それとともに前記第三のレンズ（３３）の前記焦点距離を調整するように構成されたアクチュエータ（１１３）を備え、前記第三のレンズ（３３）の前記アクチュエータ（１１３）は、前記第三のレンズ（３３）の前記レンズ整形要素（７３）または前記第三のレンズ（３３）の前記容器（４３）の前記壁（２３）に作用して、前記第三のレンズ（３３）の前記容器（４３）の前記側壁（１２３）を変形させ、前記第三のレンズ（３３）の前記膜（６３）の前記領域（６３ａ）の前記曲率を調整するように構成されること、
を特徴とする、請求項１３および３６に記載の光学ズーム装置。
【請求項３８】
前記光偏向装置（７０）は、折り返しプリズム（７０）、ミラー（７０）、傾斜可能ミラー（７０）のうちの１つであることを特徴とする、請求項１〜３７のいずれか一項に記載の光学ズーム装置。
【発明の詳細な説明】
【技術分野】
【０００１】
本発明は、光学ズーム装置に関する。
【背景技術】
【０００２】
このような光学ズームシステムは、特に、２つの基本的な特性、すなわち、調整可能な焦点距離および固定画像平面を備える。従来の光学ズームシステムは、通常、互いに対して変位させることができる複数のレンズアセンブリを備えている。ここで、光学ズームシステムの焦点距離は、レンズアセンブリの前記変位によって連続的に調整される。特に、個々のレンズアセンブリは、適切なズーミングを提供するために複雑な機械式／電動式システムが必要となるように、予め定められた方法で変位されなければならない。
【発明の概要】
【発明が解決しようとする課題】
【０００３】
以上のことに基づいて、本発明が解決しようとする課題は、改良された光学ズーム装置を提供することにある。
【課題を解決するための手段】
【０００４】
この課題は、請求項１の特徴を有する光学ズーム装置によって解決される。
【０００５】
本発明の好ましい実施形態は、それぞれの従属請求項に記載され、以下に記載される。
【０００６】
請求項１によれば、光学ズーム装置は、
・調整可能な焦点距離を有し、透明な流体（例えば、液体）で満たされた容器を備える第一のレンズであって、上記容器が、上記容器の透明な壁に面する膜を備える、第一のレンズと、
・調整可能な焦点距離を有する第二のレンズであって、上記光学ズーム装置の光路内で上記第一のレンズの後方に配置され、上記光学ズーム装置に入射する光が、上記光路に沿って移動するときに、上記第一のレンズを通過し、その後、上記第二のレンズを通過することができるようになっており、上記第二のレンズが、透明な流体（例えば、液体）で満たされた容器を備え、上記第二のレンズの上記容器が、上記第二のレンズの上記容器の透明な壁に面する膜を備える、第二のレンズ（３２）と、
・上記光路内に配置された光偏向装置であって、上記光偏向装置は、特に上記光路を偏向するように構成され、上記第二のレンズは、上記光路内の上記光偏向装置の後方に配置される、光偏向装置と、を備える。
【０００７】
特に、好ましい実施形態は、従属請求項に記載され、および／または、図面に関連して以下に記載される。図面に示され、および／または図面に関連する本文で言及された個々の特徴はそれぞれ、本発明による装置に関連する請求項に（分離された方法でも）組み込まれてもよい。
【０００８】
特に、第一および第二のレンズの壁は、光路に沿って互いに一定の距離を有している。
【０００９】
さらに、光学ズーム装置が、第三のレンズの透明な膜に面する透明な壁（および膜と第三のレンズの壁との間の透明な流体、例えば、液体）を有する容器を有する第三のレンズを備える場合、第一、第二、および第三のレンズのそれぞれの２つの壁は、装置の光路に沿って互いに対して固定された一定の距離を備える。
【００１０】
それぞれの壁は、平坦であっても、あるいは非球面であってもよい。ここで、特に、平坦とは、それぞれの壁が２つの平行な平坦面を含むことを意味する。さらに、非球面とは、それぞれの壁が非球面である少なくとも１つの湾曲面を含むことを意味する。
【００１１】
さらに、特に、第一、第二、または第三のレンズのそれぞれの膜は、ガラス、ポリマー、エラストマー、プラスチック、または任意の他の透明な伸縮性または可撓性材料のうちの少なくとも１つから作製され得る。例えば、それぞれの膜は、ＰＤＭＳとしても知られるポリ（ジメチルシロキサン）などのシリコーン系ポリマー、またはＰＥＴなどのポリエステル材料、または二軸延伸ポリエチレンテレフタレート（例えば、「Ｍｙｌａｒ」）から作製されてもよい。さらに、前記流体は、好ましくは、液体金属、ゲル、液体、ガス、または変形可能な任意の透明な吸収または反射材料であるか、またはそれらを含む。例えば、流体は、シリコーンオイルであってもよい。第一、第二および／または第三のレンズは、同一の液体（Ｆ、Ｆ’、Ｆ”）を有することができる。しかしながら、レンズの流体は、互いに異なっていてもよい。
【００１２】
特に、本明細書に記載される剛性レンズに関して、剛性という概念は、それぞれの要素が、調整可能な焦点距離を有するレンズの流体とは対照的に、固体状態にある一つまたは複数の材料から形成されることを意味する。したがって、それぞれの剛性レンズは、固定焦点距離を備え、固定レンズとして示されることもある。
【００１３】
さらに、特に、それぞれの剛性レンズは、ガラス、プラスチック、ポリマーから形成することができる。
【００１４】
一実施形態によれば、光学ズーム装置は、特に、光学ズーム装置の光路内で、第一のレンズが光偏向装置の後方に配置される場合に、光路内で、光偏向装置（例えば、折り返しプリズムまたはミラー）の前方に配置された剛性レンズを備える。
【００１５】
さらに、一実施形態では、光学ズーム装置は、光路内で、光偏向装置の後方に、および／または第一のレンズの後方に配置された少なくとも１つの剛性レンズを含む。この少なくとも１つの剛性レンズは、光路内で、第二のレンズの後方に、または第三のレンズの後方に、さらに配置することができる。さらに、複数の剛性レンズは、光路内で、光偏向装置（例えば、折り返しプリズムまたはミラー）の後方に、および／または第一のレンズの後方に配置することができる。また、それぞれの剛性レンズは、光路内で、第一のレンズの後方に、もしくは第二のレンズの後方に、または第三のレンズの後方に配置することができる。
【００１６】
さらに、光学ズーム装置の一実施形態によれば、光学ズーム装置は、光路内で、第二のレンズの後方に、または第三のレンズの後方に配置された画像センサを備える。
【００１７】
さらに、一実施形態によれば、第一のレンズの焦点距離を調整するために、第一のレンズの膜は、第一のレンズの円周レンズ整形要素に接続され、調整可能な曲率を有する第一のレンズの膜の領域を画定する。同様に、一実施形態によれば、第二のレンズの焦点距離を調整するために、第二のレンズの膜は、第二のレンズの円周レンズ整形要素に接続され、調整可能な曲率を有する第二のレンズの膜の領域を画定する。さらに、一実施形態では、第三のレンズの焦点距離を調整するために、第三のレンズの膜は、第三のレンズの円周レンズ整形要素に接続され、調整可能な曲率を有する第三のレンズの膜の領域を画定する。
【００１８】
さらに、光学ズーム装置の一実施形態によれば、第一のレンズの容器は、流体で満たされたレンズ容積と、流体で満たされ、第一のレンズの容器のレンズ容積に接続された少なくとも１つの第一のリザーバ容積とを囲み、第一のレンズの容器は、第一のレンズの容器の少なくとも１つの第一のリザーバ容積に隣接する弾性変形可能な第一の壁部材を備える。さらに、一実施形態では、第二のレンズの容器は、流体で満たされたレンズ容積と、流体で満たされ、第二のレンズの容器のレンズ容積に接続された少なくとも１つの第一のリザーバ容積とを囲み、第二のレンズの容器は、第二のレンズの容器の少なくとも１つの第一のリザーバ容積に隣接する弾性変形可能な第一の壁部材を備える。
【００１９】
さらに、一実施形態によれば、第三のレンズの容器は、流体で満たされたレンズ容積と、流体で満たされ、第三のレンズの容器のレンズ容積に接続された少なくとも１つの第一のリザーバ容積とを囲み、第三のレンズの容器は、第三のレンズの容器の少なくとも１つの第一のリザーバ容積に隣接する弾性変形可能な第一の壁部材を備える。
【００２０】
さらに、光学ズーム装置の一実施形態によれば、第一のレンズの容器の弾性変形可能な第一の壁部材は、第一のレンズの膜によって形成される。さらに、一実施形態では、第二のレンズの容器の弾性変形可能な第一の壁部材は、第二のレンズの膜によって形成される。さらに、一実施形態では、第三のレンズの容器の弾性変形可能な第一の壁部材は、第三のレンズの膜によって形成される。
【００２１】
光学ズーム装置の更なる実施形態によれば、第一のレンズの容器の少なくとも１つの第一のリザーバ容積は、第一のレンズの容器のレンズ容積の横方向に隣接して、第一のレンズの光軸に垂直な方向に配置される。また、一実施形態によれば、第二のレンズの容器の少なくとも１つの第一のリザーバ容積は、第二のレンズの容器のレンズ容積の横方向に隣接して、第二のレンズの光軸に垂直な方向に配置される。さらに、一実施形態によれば、第三のレンズの容器の少なくとも１つの第一のリザーバ容積は、第三のレンズの容器のレンズ容積に横方向に隣接して、第三のレンズの光軸に垂直な方向に配置される。
【００２２】
さらに、光学ズーム装置の一実施形態によれば、第一のレンズの容器は、第一のレンズの容器のレンズ容積に接続された第二のリザーバ容積を囲み、第一のレンズの容器は、第一のレンズの容器の第二のリザーバ容積に隣接する弾性変形可能な第二の壁部材を備える。さらに、一実施形態によれば、第二のレンズの容器は、第二のレンズの容器のレンズ容積に接続された第二のリザーバ容積を囲み、第二のレンズの容器は、第二のレンズの容器の第二のリザーバ容積に隣接する弾性変形可能な第二の壁部材を備える。さらに、一実施形態によれば、第三のレンズの容器は、第三のレンズの容器のレンズ容積に接続された第二のリザーバ容積を囲み、第三のレンズの容器は、第三のレンズの容器の第二のリザーバ容積に隣接する弾性変形可能な第二の壁部材を備える。
【００２３】
さらに、光学ズーム装置の一実施形態によれば、第一のレンズの容器の壁は、特に第一のレンズの少なくとも１つの第一のリザーバ容積を増加させるためのステップを備える。さらに、一実施形態によれば、第二のレンズの容器の壁は、特に第二のレンズの少なくとも１つの第一のリザーバ容積を増加させるためのステップを備える。さらに、一実施形態によれば、第三のレンズの容器の壁は、特に第三のレンズの少なくとも１つの第一のリザーバ容積を増加させるためのステップを備える。
【００２４】
さらに、本発明による光学ズーム装置の一実施形態によれば、第一のレンズの容器の第一および第二のリザーバ容積は、第一のレンズの光軸に垂直な方向に互いに面し、第一のレンズの容器のレンズ容積の同じ側に配置されるか、または第一のレンズの容器のレンズ容積の両側に配置される。さらに、一実施形態によれば、第二のレンズの容器の第一および第二のリザーバ容積は、第二のレンズの光軸に垂直な方向に互いに面し、第二のレンズの容器のレンズ容積の同じ側に配置されるか、または第二のレンズの容器のレンズ容積の両側に配置される。さらに、一実施形態によれば、第三のレンズの容器の第一および第二のリザーバ容積は、第三のレンズの光軸に垂直な方向に互いに面し、第三のレンズの容器のレンズ容積の同じ側に配置されるか、または第三のレンズの容器のレンズ容積の両側に配置される。
【００２５】
さらに、光学ズーム装置の一実施形態によれば、第一のレンズの容器は、第一のレンズの容器の側壁を形成するフレーム構造体を備え、第一のレンズの容器のフレーム構造体は、第一のレンズの容器の膜によって、特に第一のレンズの容器の壁によって覆われる第一のレンズの容器のレンズ容積を形成する第一の凹部を備え、第一のレンズの容器のフレーム構造体は、第一のレンズの容器の第一の壁部材によって、特に第一のレンズの容器の壁によって覆われる第一のレンズの容器の少なくとも１つの第一のリザーバ容積を形成する第二の凹部を備える。さらに、一実施形態によれば、第二のレンズの容器は、第二のレンズの容器の側壁を形成するフレーム構造体を備え、第二のレンズの容器のフレーム構造体は、第二のレンズの容器の膜によって、特に第二のレンズの容器の壁によって覆われる第二のレンズの容器のレンズ容積を形成する第一の凹部を備え、第二のレンズの容器のフレーム構造体は、第二のレンズの容器の第一の壁部材によって、特に第二のレンズの容器の壁によって覆われる第二のレンズの容器の少なくとも１つの第一のリザーバ容積を形成する第二の凹部を備える。さらに、一実施形態によれば、第三のレンズの容器は、第三のレンズの容器の側壁を形成するフレーム構造体を備え、第三のレンズの容器のフレーム構造体は、第三のレンズの容器の膜によって、特に第三のレンズの容器の壁によって覆われる第三のレンズの容器のレンズ容積を形成する第一の凹部を備え、第三のレンズの容器のフレーム構造体は、第三のレンズの容器の第一の壁部材によって、特に第三のレンズの容器の壁によって覆われる第三のレンズの容器の少なくとも１つの第一のリザーバ容積を形成する第二の凹部を備える。
【００２６】
さらに、光学ズーム装置の一実施形態によれば、第一のレンズの容器のフレーム構造体は、第一のレンズの容器の第二の壁部材によって、特に第一のレンズの容器の壁によって覆われる、第一のレンズの容器の第二のリザーバ容積を形成する第三の凹部を備える。さらに、一実施形態では、第二のレンズの容器のフレーム構造体は、第二のレンズの容器の第二の壁部材によって、特に第二のレンズの容器の壁によって覆われる、第二のレンズの容器の第二のリザーバ容積を形成する第三の凹部を備える。さらに、一実施形態によれば、第三のレンズの容器のフレーム構造体は、第三のレンズの容器の第二の壁部材によって、特に第三のレンズの容器の壁によって覆われる、第三のレンズの容器の第二のリザーバ容積を形成する第三の凹部を備える。
【００２７】
さらに、光学ズーム装置の一実施形態によれば、第一のレンズのフレーム構造体の第一の凹部は、第一のレンズのレンズ整形要素を形成する周縁を備える。また、一実施形態によれば、第二のレンズのフレーム構造体の第一の凹部は、第二のレンズのレンズ整形要素を形成する周縁を備える。さらに、一実施形態によれば、第三のレンズのフレーム構造体の第一の凹部は、第三のレンズのレンズ整形要素を形成する周縁を備える。
【００２８】
さらに、本発明による光学ズーム装置の一実施形態によれば、第一のレンズの容器の壁は、弾性変形可能で透明な更なる膜である。さらに、一実施形態によれば、第二のレンズの容器の壁は、弾性変形可能で透明な更なる膜である。さらに、一実施形態によれば、第三のレンズの容器の壁は、弾性変形可能で透明な更なる膜である。
【００２９】
さらに、光学ズーム装置の一実施形態によれば、第一のレンズの更なる膜は、調整可能な曲率を有する第一のレンズの更なる膜の領域を画定するために、第一のレンズの更なる円周レンズ整形要素に接続され、および／または、第二のレンズの更なる膜は、調整可能な曲率を有する第二のレンズの更なる膜の領域を画定するために、第二のレンズの更なる円周レンズ整形要素に接続される。さらに、一実施形態によれば、第三のレンズの更なる膜は、調整可能な曲率を有する第三のレンズの更なる膜の領域を画定するために、第三のレンズの更なる円周レンズ整形要素に接続される。
【００３０】
さらに、光学ズーム装置の一実施形態によれば、第一のレンズのフレーム構造体の第一の凹部は、第一のレンズの更なるレンズ整形要素を形成する更なる周縁を備える。さらに、一実施形態によれば、第二のレンズのフレーム構造体の第一の凹部は、第二のレンズの更なるレンズ整形要素を形成する更なる周縁を備え、および／または、第三のレンズのフレーム構造体の第一の凹部は、第三のレンズの更なるレンズ整形要素を形成する更なる周縁を備える。
【００３１】
さらに、光学ズーム装置の一実施形態によれば、第一のレンズのレンズ容積は、透明な分離壁によって、第一のレンズ容積部と第二のレンズ容積部とに分離され、第一のレンズの第一のレンズ容積部は、第一のレンズの第一のリザーバ容積に接続され、第一のレンズの第二のレンズ容積部は、第一のレンズの第二のリザーバ容積に接続される。さらに、一実施形態では、第二のレンズのレンズ容積は、透明な分離壁によって、第一のレンズ容積部と第二のレンズ容積部とに分離され、第二のレンズの第一のレンズ容積部は、第二のレンズの第一のリザーバ容積に接続され、第二のレンズの第二のレンズ容積部は、第二のレンズの第二のリザーバ容積に接続される。さらに、一実施形態によれば、第三のレンズのレンズ容積は、透明な分離壁によって、第一のレンズ容積部と第二のレンズ容積部とに分離され、第三のレンズの第一のレンズ容積部は、第三のレンズの第一のリザーバ容積に接続され、第三のレンズの第二のレンズ容積部は、第三のレンズの第二のリザーバ容積に接続される。
【００３２】
さらに、光学ズーム装置の一実施形態によれば、第一のレンズは、第一のレンズの容器の弾性変形可能な第一の壁部材に作用して、第一のレンズの少なくとも１つの第一のリザーバ容積から第一のレンズのレンズ容積内に、または第一のレンズのレンズ容積から第一のレンズの少なくとも１つの第一のリザーバ容積内に流体をポンピングするように構成されたアクチュエータを備え、こうして、第一のレンズの膜の前記領域の曲率を変化させ、それとともに第一のレンズの焦点距離を変化させる。さらに、一実施形態によれば、第二のレンズは、第二のレンズの容器の弾性変形可能な第一の壁部材に作用して、第二のレンズの少なくとも１つの第一のリザーバ容積から第二のレンズのレンズ容積内に、または第二のレンズのレンズ容積から第二のレンズの少なくとも１つの第一のリザーバ容積内に流体をポンピングするように構成されたアクチュエータを備え、こうして、第二のレンズの膜の前記領域の曲率を変化させ、それとともに第二のレンズの焦点距離を変化させる。さらに、一実施形態によれば、第三のレンズは、第三のレンズの容器の弾性変形可能な第一の壁部材に作用して、第三のレンズの少なくとも１つの第一のリザーバ容積から第三のレンズのレンズ容積内に、または第三のレンズのレンズ容積から第三のレンズの少なくとも１つの第一のリザーバ容積内に流体をポンピングするように構成されたアクチュエータを備え、こうして、第三のレンズの膜の前記領域の曲率を変化させ、それとともに第三のレンズの焦点距離を変化させる。
【００３３】
さらに、一実施形態によれば、第一のレンズのアクチュエータは、第一のレンズの容器の弾性変形可能な第二の壁部材に作用して、第一のレンズの第二のリザーバ容積から第一のレンズのレンズ容積内に、または第一のレンズのレンズ容積から第一のレンズの第二のリザーバ容積内に流体をポンピングするように、さらに構成され、こうして、第一のレンズの膜の前記領域の曲率を変化させ、それとともに第一のレンズの焦点距離を変化させ、および／または、第二のレンズのアクチュエータは、第二のレンズの容器の弾性変形可能な第二の壁部材に作用して、第二のレンズの第二のリザーバ容積から第二のレンズのレンズ容積内に、または第二のレンズのレンズ容積から第二のレンズの第二のリザーバ容積内に流体をポンピングするように、さらに構成され、こうして、第二のレンズの膜の前記領域の曲率を変化させ、それとともに第二のレンズの焦点距離を変化させる。さらに、一実施形態によれば、第三のレンズのアクチュエータは、第三のレンズの容器の弾性変形可能な第二の壁部材に作用して、第三のレンズの第二のリザーバ容積から第三のレンズのレンズ容積内に、または第三のレンズのレンズ容積から第三のレンズの第二のリザーバ容積内に流体をポンピングするように、さらに構成され、こうして、第三のレンズの膜の前記領域の曲率を変化させ、それとともに第三のレンズの焦点距離を変化させる。
【００３４】
さらに、光学ズーム装置の一実施形態によれば、第一のレンズは、第一のレンズの容器の弾性変形可能な第一の壁部材に作用して、第一のレンズの第一のリザーバ容積から第一のレンズの第一のレンズ容積部内に、または第一のレンズの第一のレンズ容積部から第一のレンズの第一のリザーバ容積内に流体をポンピングするように構成されたアクチュエータを備え、こうして、第一のレンズの膜の前記領域の曲率を変化させ、それとともに第一のレンズの焦点距離を変化させる。さらに、一実施形態によれば、第二のレンズは、第二のレンズの容器の弾性変形可能な第一の壁部材に作用して、第二のレンズの第一のリザーバ容積から第二のレンズの第一のレンズ容積部内に、または第二のレンズの第一のレンズ容積部から第二のレンズの第一のリザーバ容積内に流体をポンピングするように構成されたアクチュエータを備え、こうして、第二のレンズの膜の前記領域の曲率を変化させ、それとともに第二のレンズの焦点距離を変化させる。さらに、一実施形態によれば、第三のレンズは、第三のレンズの容器の弾性変形可能な第一の壁部材に作用して、第三のレンズの第一のリザーバ容積から第三のレンズの第一のレンズ容積部内に、または第三のレンズの第一のレンズ容積部から第三のレンズの第一のリザーバ容積内に流体をポンピングするように構成されたアクチュエータを備え、こうして、第三のレンズの膜の前記領域の曲率を変化させ、それとともに第三のレンズの焦点距離を変化させる。
【００３５】
さらに、本発明による光学ズーム装置の一実施形態によれば、第一のレンズのアクチュエータは、第一のレンズの容器の弾性変形可能な第二の壁部材に作用して、第一のレンズの第二のリザーバ容積から第一のレンズの第二のレンズ容積部内に、または第一のレンズの第二のレンズ容積部から第一のレンズの第二のリザーバ容積内に流体をポンピングするように構成され、こうして、第一のレンズの更なる膜の前記領域の曲率を変化させ、それとともに第一のレンズの焦点距離を変化させる。さらに、一実施形態によれば、第二のレンズのアクチュエータは、第二のレンズの容器の弾性変形可能な第二の壁部材に作用して、第二のレンズの第二のリザーバ容積から第二のレンズの第二のレンズ容積部内に、または第二のレンズの第二のレンズ容積部から第二のレンズの第二のリザーバ容積内に流体をポンピングするように構成され、こうして、第二のレンズの更なる膜の前記領域の曲率を変化させ、それとともに第二のレンズの焦点距離を変化させる。さらに、一実施形態によれば、第三のレンズのアクチュエータは、第三のレンズの容器の弾性変形可能な第二の壁部材に作用して、第三のレンズの第二のリザーバ容積から第三のレンズの第二のレンズ容積部内に、または第三のレンズの第二のレンズ容積部から第三のレンズの第二のリザーバ容積内に流体をポンピングするように構成され、こうして、第三のレンズの更なる膜の前記領域の曲率を変化させ、それとともに第三のレンズの焦点距離を変化させる。
【００３６】
さらに、光学ズーム装置の一実施形態によれば、第一のレンズのアクチュエータは、第一のレンズの容器の弾性変形可能な第一の壁部材に押し付けるように、または引っ張るように、および／または第一のレンズの容器の弾性変形可能な第二の壁部材に押し付けるように、または引っ張るように構成されたピストン構造を備える。さらに、一実施形態では、第二のレンズのアクチュエータは、第二のレンズの容器の弾性変形可能な第一の壁部材に押し付けるように、または引っ張るように、および／または第二のレンズの容器の弾性変形可能な第二の壁部材に押し付けるように、または引っ張るように構成されたピストン構造を備える。さらに、一実施形態によれば、第三のレンズのアクチュエータは、第三のレンズの容器の弾性変形可能な第一の壁部材を押し付けるように、または引っ張るように、および／または第三のレンズの容器の弾性変形可能な第二の壁部材に押し付けるように、または引っ張るように構成されたピストン構造を備える。
【００３７】
さらに、光学ズーム装置の一実施形態によれば、第一のレンズのアクチュエータは、第一のレンズのアクチュエータのピストン構造に接続され、第一のレンズのアクチュエータの磁石と相互作用するように構成され、第一のレンズのアクチュエータのピストン構造を移動させる導電性コイルを備え、および／または、第二のレンズのアクチュエータは、第二のレンズのアクチュエータのピストン構造に接続され、第二のレンズのアクチュエータの磁石と相互作用するように構成され、第二のレンズのアクチュエータのピストン構造を移動させる導電性コイルを備える。さらに、一実施形態によると、第三のレンズのアクチュエータは、第三のレンズのアクチュエータのピストン構造に接続され、第三のレンズのアクチュエータの磁石と相互作用するように構成され、第三のレンズのアクチュエータのピストン構造を移動させる導電性コイルを備える。
【００３８】
さらに、光学ズーム装置の一実施形態によれば、第一のレンズのアクチュエータは、第一のレンズのアクチュエータのピストン構造に接続され、第一のレンズのアクチュエータの導電性コイルと相互作用するように構成され、第一のレンズのアクチュエータのピストン構造を移動させる磁石を備える。さらに、一実施形態では、第二のレンズのアクチュエータは、第二のレンズのアクチュエータのピストン構造に接続され、第二のレンズのアクチュエータの導電性コイルと相互作用するように構成され、第二のレンズのアクチュエータのピストン構造を移動させる磁石を備える。さらに、一実施形態では、第三のレンズのアクチュエータは、第三のレンズのアクチュエータのピストン構造に接続され、第三のレンズのアクチュエータの導電性コイルと相互作用するように構成され、第三のレンズのアクチュエータのピストン構造を移動させる磁石を備える。
【００３９】
さらに、光学ズーム装置の一実施形態によれば、第一のレンズの容器の少なくとも１つの第一のリザーバは、第一のレンズの容器の弾性変形可能な第一の壁部材が凸状の膨出部を備えるように、前記流体で満たされる。さらに、一実施形態によれば、第二のレンズの容器の少なくとも１つの第一のリザーバは、第二のレンズの容器の弾性変形可能な第一の壁部材が凸状の膨出部を備えるように、前記流体で満たされる。さらに、一実施形態では、第三のレンズの容器の少なくとも１つの第一のリザーバは、第三のレンズの容器の弾性変形可能な第一の壁部材が凸状の膨出部を備えるように、前記流体で満たされる。
【００４０】
さらに、光学ズーム装置の一実施形態によれば、第一のレンズの容器の第二のリザーバは、第一のレンズの容器の弾性変形可能な第二の壁部材が凸状の膨出部を備えるように、前記流体で満たされる。さらに、一実施形態では、第二のレンズの容器の第二のリザーバは、第二のレンズの容器の弾性変形可能な第二の壁部材が凸状の膨出部を備えるように、前記流体で満たされる。さらに、一実施形態によれば、第三のレンズの容器の第二のリザーバは、第三のレンズの容器の弾性変形可能な第二の壁部材が凸状の膨出部を備えるように、前記流体で満たされる。
【００４１】
さらに、光学ズーム装置の一実施形態によれば、第一のレンズの容器は、流体で満たされたレンズ容積を囲み、第一のレンズの容器は、第一のレンズの膜の領域の曲率を調整し、それとともに第一のレンズの焦点距離を調整するために、第一のレンズの容器の壁に接続された変形可能な側壁をさらに備える。さらに、一実施形態では、第二のレンズの容器は、流体で満たされたレンズ容積を囲み、第二のレンズの容器は、第二のレンズの膜の領域の曲率を調整し、それとともに第二のレンズの焦点距離を調整するために、第二のレンズの容器の壁に接続された変形可能な側壁をさらに備える。さらに、一実施形態によれば、第三のレンズの容器は、流体で満たされたレンズ容積を囲み、第三のレンズの容器は、第三のレンズの膜の領域の曲率を調整し、それとともに第三のレンズの焦点距離を調整するために、第三のレンズの容器の壁に接続された変形可能な側壁をさらに備える。
【００４２】
さらに、光学ズーム装置の一実施形態によれば、第一のレンズは、第一のレンズの膜の前記領域の曲率を調整し、それとともに第一のレンズの焦点距離を調整するように構成されたアクチュエータを備え、第一のレンズのアクチュエータは、第一のレンズのレンズ整形要素または第一のレンズの容器の壁に作用して、第一のレンズの容器の側壁を変形させ、第一のレンズの膜の領域の曲率を調整するように構成される。さらに、一実施形態では、第二のレンズは、第二のレンズの膜の前記領域の曲率を調整し、それとともに第二のレンズの焦点距離を調整するように構成されたアクチュエータを備え、第二のレンズのアクチュエータは、第二のレンズのレンズ整形要素または第二のレンズの容器の壁に作用して、第二のレンズの容器の側壁を変形させ、第二のレンズの膜の領域の曲率を調整するように構成される。さらに、一実施形態によれば、第三のレンズは、第三のレンズの膜の前記領域の曲率を調整し、それとともに第二のレンズの焦点距離を調整するように構成されたアクチュエータを備え、第三のレンズのアクチュエータは、第三のレンズのレンズ整形要素または第三のレンズの容器の壁に作用して、第三のレンズの容器の側壁を変形させ、第三のレンズの膜の領域の曲率を調整するように構成される。
【００４３】
さらに、光学ズーム装置の一実施形態によれば、光偏向装置は、折り返しプリズム、ミラー、傾斜可能なミラーのうちの１つである。
【００４４】
本発明は、多種多様な異なる用途、特に、フォロプター、屈折計、パキメーター、ｐｐｔバイオメトリー、視野計、屈折角膜計、レフラ・レンズアナライザー、眼圧測定器、アノマロスコープ（ａｎｏｍａｌｏｓｋｏｐ）、コントラストメーター、エンドセルミクロスコープ、アノマロスコープ（ａｎｏｍａｌｏｓｃｏｐｅ）、バイノオスコープ、ＯＣＴ、ロダテスト、検眼鏡、ＲＴＡなどの眼科用機器、マシンビジョンカメラ、携帯電話カメラ、医療機器、ロボットカム、仮想現実または拡張現実カメラ、顕微鏡、望遠鏡、内視鏡、ドローンカメラ、監視カメラ、ウェブカム、自動車カメラ、モーショントラッキング、双眼鏡、研究、自動車、プロジェクター、眼科用レンズ、レンジファインダー、バーコードリーダーなどに適用することができる。
【００４５】
以下では、本発明の更なる特徴および実施形態が、特許請求の範囲に添付された図面を参照して説明される。
【図面の簡単な説明】
【００４６】
【図１】本発明による光学ズーム装置の一実施形態の概略断面図を示す。
【図２】本発明による光学ズーム装置の更なる実施形態の概略断面図を示す。
【図３】本発明による光学ズーム装置の更なる実施形態の概略断面図を示す。
【図４】本発明による光学ズーム装置の更なる実施形態の概略断面図を示す。
【図５】光偏向装置を用いて光学画像安定化を行うように構成された光学ズーム装置の一実施形態を示す（特に傾斜可能なミラーの形態）。
【図６】それぞれ調整可能な焦点距離を有する本発明による光学ズーム装置の第一、第二、または第三のレンズの概略平面図を示す。レンズ整形要素および容器は、システムに固定することができ、特に、（第一および／または第二の）リザーバに作用するピストン構造のみが、凸レンズ形状（リザーバ内に押し込む）または凹レンズ形状（リザーバを引っ張る）に導き、さらに、それぞれのレンズ容積／リザーバ容積の過剰充填は、可能なストロークを増加させるのに役立つ。
【図７】図７に示すレンズの断面を模式的に示す。
【図８】レンズ容積／リザーバ容積を形成するための凹部を備える平坦なフレーム構造体を有する容器を備える光学ズーム装置のレンズ（第一、第二、および／または第三のレンズ）の実施形態を示す。
【図９】レンズ容積／リザーバ容積を形成するための凹部を備える平坦なフレーム構造体を有する容器を備える光学ズーム装置のレンズ（第一、第二、および／または第三のレンズ）の実施形態を示す。
【図１０】可動コイルを備える本発明による光学ズーム装置のアクチュエータを示す図である。
【図１１】可動磁石を備える本発明による光学ズーム装置のアクチュエータを示す図である。
【図１２】光学ズーム装置のレンズ（第一、第二、および／または第三のレンズ）の実施形態の断面図（左側）および上面図（右側）は、例えば、両凸レンズまたは両凹レンズを形成するための硬質壁の代わりに膜を備える。
【図１３】光学ズーム装置のレンズ（第一、第二、および／または第三のレンズ）の実施形態の断面図（左側）、上面図（右下側）、および底面図（右上側）を示し、これらのレンズは、２つの別個の容積部に分離されたレンズ容積を備える。
【図１４】アクチュエータのストロークを増加させるためのリザーバ容積の過充填を示す。
【図１５】容器にステップを設けることにより、リザーバ容積が増加することを示している。
【図１６】変形可能な側壁（例えば、蛇腹）を使用する本発明による光学ズーム装置のレンズ（第一、第二、および／または第三のレンズ）の実施形態を示し、特に、側壁は、厚膜などの可撓性材料から作製することができる。レンズ整形要素を押し込むと、側壁の撓みが凸レンズ形状に導かれる。レンズ整形要素を引っ張ると、光学活性領域の膜の形が凹形状に導かれる。レンズ整形要素に非対称な力を用いることによって、（第一、第二、および／または第三の）レンズが傾斜し、光学画像安定化に使用できる傾斜レンズ形状に導かれ、代替として、レンズ整形要素を光学システムに固定することができ、押込器（例えば、ピストン構造）を容器（可動容器）のカバーガラス／壁に作用させることもできる。
【図１７】側壁が可撓性材料（例えば、折り畳み可能なゴム材料）から作られている、蛇腹レンズの概念（容器の変形可能な側壁）を示す。レンズ整形要素を押し込むと、側壁の撓みが凸レンズ形状に導かれる。レンズ整形要素を引っ張ると、光学活性領域の膜の形が凹形状に導かれる。レンズ整形要素に非対称な力を用いることによって、レンズが傾斜し、光学画像安定化に使用できる傾斜レンズ形状に導かれ、代替として、レンズ整形要素を光学システムに固定することができ、押込器（例えば、ピストン構造）をカバーガラス（可動容器）に作用させることもできる。
【発明を実施するための形態】
【００４７】
本発明は、光学ズーム装置１に関する。特に、光学ズーム装置１は、焦点距離（したがって、画角）を変化させることができるレンズ要素の機械的アセンブリである。
【００４８】
本発明によれば（例えば、図１〜図１７参照）、このような光学ズーム装置１は、特に、少なくとも１つの画像センサ１００と、固定焦点補正レンズ９０、９１（本明細書では剛性レンズとも呼ばれる）と、調整可能な焦点距離を有する少なくとも第一および第二のレンズ３１、３２（チューナブルレンズとも呼ばれる）とを備える。特に、これらのレンズ３１、３２は、光学ズーム装置の光路Ａに沿って互いに固定された距離を備え、その結果、互いに対する剛性レンズの複雑な電動変位を省略することができる。さらに、全ての実施形態において、ＩＲフィルタ１０１を画像センサ１００の前方に配置することができる。
【００４９】
図１に示す第一の実施形態によれば、光Ｌは、光軸Ａに沿って進むときに、第一のレンズ３１を通過し、その後、光偏向装置７０（例えば、折り返しプリズムまたは傾斜可能なミラー、以下を参照）、第二のレンズ３２および第三のレンズ３３を通過し、装置１によってズームすることができる画像センサ１００上に画像を形成することができる。
【００５０】
したがって、図１に示す実施形態によれば、光学ズーム装置１は、調整可能な焦点距離を有する３つのチューナブルレンズ３１、３２、３３を備え、チューナブルレンズの１つ、例えば、第一のレンズ３１は、光偏向装置７０の前方に配置され、他の２つのチューナブルレンズ、例えば、第二および第三のレンズ３２、３２は、光偏向装置７０の後方（光路Ａ／第一のレンズ３１に入射する光Ｌの方向に対して）に配置される。一実施形態によれば、第一、第二、および／または第三のレンズ３１、３２、３３のチューニング範囲は、−１００ジオプトリから＋１００ジオプトリの範囲内にある。さらに、第一、第二および／または第三のレンズ３１、３２、３３の有効開口範囲は、一実施形態によれば１．０ｍｍ〜６．０ｍｍの範囲にあることができる（これらのジオプタ範囲および有効開口範囲は、図２〜図４に示す実施形態にも適用することができる）。
【００５１】
さらに、図１に示す光学ズーム装置１は、固定焦点距離を有する１つまたは複数の剛性レンズ９１を備えることができる。それぞれの剛性レンズ９１は、例えば、プラスチック材料製でも、あるいはガラス製でもよい。さらに、それぞれの剛性レンズ９１は、球面形状を有しても、あるいは非球面形状を有してもよい。例えば、図１に示す例では、画像センサ１００と第三のレンズ３３との間に剛性レンズ９１を配置することができ、光路Ａに対して第三のレンズ３３と第二のレンズとの間に、さらに２つの剛性レンズ９１を配置することができる。
【００５２】
さらに、図１による光学ズーム装置１は、開口絞り８０を備えることができる。一実施形態によれば、開口絞り８０は、第一のレンズ３１と第二のレンズ３２との間に、もしくは第二のレンズ３２と第三のレンズ３３との間（図１参照）に、または第三のレンズ３３と画像センサ１００との間に配置することができる。それぞれのチューナブルレンズ３１、３２、３３は、本明細書に記載の実施形態に従って設計することができる（これは、図２〜図４にも当てはまる）。特に、図１に示すように、それぞれのチューナブルレンズ３１、３２、３３は、透明な流体Ｆ、Ｆ’、Ｆ”（例えば、光学液体）で満たされた容器４１、４２、４３を備え、それぞれの容器４１、４２、４３は、それぞれの容器４１、４２、４３の透明な壁２１、２２、２３に面する（それぞれのレンズの焦点距離を調整するための）弾性的に変形可能で透明な膜６１、６２、６３を備える。それぞれの容器４１、４２、４３または壁２１、２２、２３は、例えば、平坦な形状を有しても、あるいは非球面形状を有してもよい。
【００５３】
特に、図１（Ａ）は、光学ズーム装置１をワイド画角構成（より大きな視野）で示し、図１（Ｂ）は、光学ズーム装置１をテレ画角構成（より小さな視野）で示す。
【００５４】
図２は、光学ズーム装置１の一実施形態を示し、第一のレンズ３１は、レンズ偏向装置（ここでは、折り返しプリズムなど）７０の後方に配置される。特に、図２によれば、３つのチューナブルレンズ３１，３２，３３の全てが、第一のレンズ３１に入射する光Ｌの光路Ａ／方向に対して光偏向装置７０（例えばプリズム）の後方に配置されている。図２によれば、図１とは対照的に、固定焦点距離を有する剛性レンズ９０は、光偏向装置７０の前方に配置されている。この剛性レンズ９０は、プラスチック材料製でも、あるいはガラス製でもよい。それは、球面形状を有しても、あるいは非球面形状を有してもよい。さらに、固定焦点を有する更なる剛性レンズ９１を、画像センサ１００と第三のレンズ３３との間にも、第三のレンズ３３と第二のレンズ３２との間にも配置することができる。また、これらの剛性レンズ９１は、プラスチック材料製でも、あるいはガラス製でもよい。さらに、剛性レンズ９１は、それぞれが球面形状を有しても、あるいは非球面形状を有してもよい。
【００５５】
先に図１と併せて説明したように、図２による光学ズーム装置１は、開口絞り８０も備えることができる。一実施形態によれば、この開口絞り８０は、第一のレンズ３１の前方に、もしくは第一のレンズ３１と第二のレンズ３２との間に（図２参照）、もしくは第二のレンズ３２と第三のレンズ３３との間に、または第三のレンズ３３と画像センサ１００との間に配置することができる。
【００５６】
特に、ここでも、図２（Ａ）は、光学ズーム装置１をワイド状態（より大きな視野）で示し、その一方で、図２（Ｂ）は、光学ズーム装置１をテレ状態（より小さな視野）で示している。
【００５７】
さらに、図３は、一実施形態を示し、ここでは、第一のレンズ３１および調整可能な焦点距離を有する第二のレンズ３２のみが使用され、第一のレンズ３１は光偏向装置７０の前方に配置され、第二のレンズ３２は光偏向装置７０の後方に配置されている。
【００５８】
また、ここでは、光学ズーム装置１は、固定焦点距離を有する１つまたは複数の剛性レンズ９１を備えることができる。それぞれの剛性レンズ９１は、例えば、プラスチック材料製でも、あるいはガラス製でもよい。さらに、それぞれの剛性レンズ９１は、球面形状を有しても、あるいは非球面形状を有してもよい。例えば、図３に示す例では、１つの剛性レンズ９１を画像センサ１００と第二のレンズ３２との間に配置することができ、第一のレンズ３１に入射する光Ｌの光路Ａ／方向に対して、複数の更なる剛性レンズ９１を第二のレンズ３２と光偏向装置７０（例えば、折り返しプリズム）との間に配置することができる。
【００５９】
さらに、図３に示す光学ズーム装置１は、開口絞り８０も備えることができる。一実施形態によれば、この開口絞り８０は、第一のレンズ３１と第二のレンズ３２との間（図３参照）に、または第二のレンズ３２と画像センサ１００との間に配置することができる。
【００６０】
特に、図３の上部（Ａ）は、ワイド画角構成を示しており、第一のレンズ３２の領域６１ａは曲率無し（すなわち平坦）であってもよいが、その一方で、第二のレンズ３２の領域６２ａは凸状である。特に、図３の下部（Ｂ）はテレ画角構成を示しており、第一のレンズ３１の領域６１ａは凸状であり、第二のレンズ３２の領域６２ａは凹状である。
【００６１】
また、図４は、一実施形態を示しており、２つのチューナブルレンズ３１、３２を備え、ここでは、第一のレンズ３１および第二のレンズ３２の両方が、第一のレンズ３１に入射する光路Ａ／光Ｌの方向に対して光偏向装置（例えば、折り返しプリズム）７０の後方に配置されている。
【００６２】
図４に示すように、光学ズーム装置１は、固定焦点距離を有する１つまたは複数の剛性レンズ９０、９１を備えることができる。それぞれの剛性レンズ９０、９１は、例えば、プラスチック材料製でも、あるいはガラス製でもよい。また、それぞれの剛性レンズ９０、９１は、球面形状を有しても、あるいは非球面形状を有してもよい。例えば、図４に示す例では、剛性レンズ９０は、光偏向装置７０の前方に配置されている。さらに、１つの更なる剛性レンズ９１を画像センサ１００と第二のレンズ３２との間に配置することができ、複数の更なる剛性レンズ９１を第二のレンズ３２と光偏向装置７０（例えば、折り返しプリズム）との間に配置することもできる。
【００６３】
さらに、図４に示す光学ズーム装置１は、開口絞り８０も備えることができる。一実施形態によれば、この開口絞り８０は、第一のレンズ３１の前方に、または第一のレンズ３１と第二のレンズ３２との間（図４参照）に、もしくは第二のレンズ３２と画像センサ１００との間に配置することができる。
【００６４】
特に、図４の上部（Ａ）は、ワイド画角構成を示しており、第一のレンズ３１の領域６１ａは凸状であり、第二のレンズ３２の領域６２ａも凸状である。図４の下部（Ｂ）は、テレ画角構成を示しており、第一のレンズ３１の領域６１ａは凹状であり、第二のレンズ３２の領域６２ａも凹状である。
【００６５】
さらに、特に、本発明による光学ズーム装置１は、液体レンズを含む折り返しズームモジュールを形成する。特に、本発明による光学ズーム装置１は、（とりわけ）例えば、以下のうちの１つを使用する光学画像安定化を特徴とすることができる。
・好ましくは光学ズーム装置１の入口にある液体プリズム。装置１の移動による画像移動の同じ補償を、モジュールの入口におけるより低い機械的ストローク（プリズムに関する先の特許を参照）によって達成することができるから、
・液体プリズムを模倣する液体レンズの整形器（レンズ整形要素）を傾斜させること、
・剛体球状光学素子の１つを二次元（ｘおよびｙ）にシフトさせること、
・プリズム７０を傾斜させること、
・光学ズーム装置１をｘ，ｙ，ｚにシフトさせること。
【００６６】
さらに、本明細書に記載されるすべての実施形態において、プリズム７０は、図５に示すようなミラーと置き換えることができる。一実施形態によれば、ミラーは、二次元（例えば、２つの異なる軸の周り）で傾斜可能である。
【００６７】
特に、ミラー７０の前方に光学素子がない場合に、液体レンズと組み合わせると、光学ズーム装置の視野は狭くなる（例えば、７０°より小さく、好ましくは３０°より小さくなる）。
【００６８】
さらに、ミラーのサイズは、プリズムと同様にすることも、あるいはプリズムより小さくすることもできる。
【００６９】
さらに、上述した他の光学画像安定化手段とは対照的に、ミラー７０を傾斜することは、像のコーナーでの誤差を導くことがなく、視点の変化も生じないので、高品質になることを特徴とする。
【００７０】
特に、光学画像安定化は、反射で行われているが、これには、同じ光学的傾斜を達成するのに、機械的傾斜がかなり小さいことが必要である（機械的傾斜は光学的傾斜の半分に対応し、透過中のプリズムの機械的傾斜はプリズムの屈折率に依存し、通常は光学的傾斜よりもはるかに大きくなる（係数２〜１０））。結果として、同じ機械的傾斜に対して、はるかに大きな画像誤差を補償することができる。
【００７１】
特に、上述した第一、第二および第三のレンズ３１、３２、３３は、例えば、図６および図７に示すように、それぞれ設計することができる。それによれば、それぞれのレンズ３１、３２、３３は、透明な流体Ｆ、Ｆ’、Ｆ”で満たされた容器４１、４２、４３を備え、それぞれのレンズ３１、３２、３３の容器４１、４２、４３は、それぞれのレンズ３１、３２、３３の容器４１、４２、４３の透明な壁２１、２２、３３に面する弾性変形可能で透明な膜６１、６２、６３を備える。
【００７２】
それぞれのレンズ３１、３２、３３の焦点距離を調整するために、それぞれのレンズ３１、３２、３３の膜６１、６２、６３は、それぞれのレンズ３１、３２、３３の円周レンズ整形要素７１、７２、７３に接続され、調整可能な曲率を有する膜６１、６２、６３の領域６１ａ、６２ａ、６３ａを画定する。曲率は、流体Ｆ、Ｆ’、Ｆ”を膜６１、６２、６３に押し付けることによって、または膜６１、６２、６３上の流体Ｆ、Ｆ’、Ｆ”の圧力を下げることによって調整することができる。
【００７３】
この目的のために、それぞれのレンズ３１、３２、３３の容器４１、４２、４３は、流体Ｆ、Ｆ’、Ｆ”で満たされたレンズ容積Ｖ１と、流体Ｆ、Ｆ’、Ｆ”で満たされ、それぞれのレンズ３１、３２、３３の容器４１、４２、４３のレンズ容積Ｖ１、Ｖ２、Ｖ３に接続された少なくとも１つの第一のリザーバ容積Ｒ１、Ｒ２、Ｒ３とを囲む。さらに、それぞれのレンズ３１、３２、３３の容器４１、４２、４３は、それぞれのレンズ３１、３２、３３の容器４１、４２、４３の少なくとも１つの第一のリザーバ容積Ｒ１、Ｒ２、Ｒ３に隣接する弾性変形可能な第一の壁部材４１ａ、４２ａ、４３ａを備える。
【００７４】
さらに、特に、それぞれのレンズ３１、３２、３３の容器４１、４２、４３の弾性変形可能な第一の壁部材４１ａ、４２ａ、４３ａは、それぞれのレンズ３１、３２、３３の膜６１、６２、６３によって形成することができる。
【００７５】
さらに、図６および図７に示すように、それぞれのレンズ３１、３２、３３のうちの少なくとも１つの第一リザーバ容積Ｒ１、Ｒ２、Ｒ３は、それぞれのレンズ３１、３２、３３のレンズ容積Ｖ１、Ｖ２、Ｖ３の横方向に隣接して、それぞれのレンズ３１、３２、３３の光軸に垂直な方向に配置される。
【００７６】
ここで、それぞれのレンズ３１、３２、３３の膜６１、６２、６３上の流体Ｆ、Ｆ’、Ｆ”の圧力を増加または減少させるために、それぞれのレンズは、それぞれのレンズ３１、３２、３３の容器４１、４２、４３の弾性的に変形可能な第一の壁部材４１ａ、４２ａ、４３ａに作用して、それぞれのレンズ３１、３２、３３の少なくとも１つの第一のリザーバ容積Ｒ１、Ｒ２、Ｒ３からそれぞれのレンズ３１、３２、３３のレンズ容積Ｖ１、Ｖ２、Ｖ３内に、またはレンズ容積Ｖ１、Ｖ２、Ｖ３からそれぞれのレンズ３１、３２、３３の少なくとも１つの第一のリザーバ容積Ｒ１、Ｒ２、Ｒ３内に流体Ｆ、Ｆ’、Ｆ”をポンピングするように構成されたアクチュエータ１１１、１１２、１１３を備え、こうして、それぞれのレンズ３１、３２、３３の膜６１、６２、６３の前記領域６１ａ、６２ａ、６３ａの曲率を変化させ、それとともにそれぞれのレンズ３１、３２、３３の焦点距離を変化させる。これは、より多くの流体Ｆ、Ｆ’、Ｆ”をそれぞれのレンズ容積Ｖ１、Ｖ２、Ｖ３にポンピングして入れると、領域６１ａ、６２ａ、６３ａがさらに外側に膨らむ一方で（図７の破線）、流体Ｆ、Ｆ’、Ｆ”をレンズ容積Ｖ１、Ｖ２、Ｖ３からポンピングして出すと、この効果が低下するためである（例えば、凹状領域６１ａ、６２ａ、６３ａが達成されるように、図７の一点鎖線を参照）。これにより、領域６１ａ、６２ａ、６３ａの曲率を、例えば、凸状から凹状に連続的に変化させることができ、レンズ３１、３２、３３の焦点距離ｆをチューニングすることができ、その結果、レンズ３１、３２、３３に入射する光Ｌがそれに応じて偏向されるようになる（凸状領域６１ａ、６２ａ、６３ａについて図７に示す）。
【００７７】
図６および図７に示す実施形態に関して、いくつかの変形例が考えられる。例えば、剛性のバックカバーガラス／壁２１、２２、２３の代わりに、更なる（第二の）膜２１、２２、２３を追加することができる（例えば、図１２を参照）。これにより、光学ズーム装置１において重要な単一液体レンズにおける可能な光パワー範囲が２倍になり、ズーム倍率が向上する。さらに、一般に、容器４１、４２、４３の形状／輪郭は、それが用途に適合するように調整することができる。容器は、金属からでも、プラスチック材料からでも、あるいは任意の他の固体材料からでも形成することができる。それぞれの材料は、剛性であっても可撓性であってもよいが、膜６１、６２、６３、２１、２２、２３よりも常にはるかに剛直（ｓｔｉｆｆｅｒ）であることが好ましい。
【００７８】
さらに、本明細書に記載されるレンズ３１、３２、３３は、少なくとも１つのリザーバ容積Ｒ１、Ｒ２、Ｒ３を特徴とすることができるが、１つのリザーバ容積に限定されない（以下も参照）。さらに、リザーバ容積Ｒ１、Ｒ２、Ｒ３の形状、および流体または液体チャネルＣ１、Ｃ２、Ｃ３の形状は、それらが最良の性能を示すように調整することができる。
【００７９】
さらに、図８に示す実施形態によれば、第一、第二または第三のレンズ３１、３２、３３は、それぞれ容器４１、４２、４３を備えることができ、容器４１、４２、４３は、それぞれのレンズ３１、３２、３３の容器４１、４２、４３の側壁を形成するフレーム構造体５１、５２、５３を備える。それぞれのフレーム構造体５１、５２、５３は、レンズ容積Ｖ１、Ｖ２、Ｖ３を形成する第一の凹部５１ａ、５２ａ、５３ａを備え、レンズ容積Ｖ１、Ｖ２、Ｖ３は、膜６１、６２、６３によって、特にそれぞれのレンズ３１、３２、３３の容器４１、４２、４３の壁２１、２２、２３によって覆われる。特に、それぞれのレンズ３１、３２、３３の壁２１、２２、２３は、特にフレーム構造体５１、５２、５３の裏側に配置されたカバーガラスとすることができる。さらに、各レンズ３１、３２、３３のフレーム構造体５１、５２、５３の第一の凹部５１ａ、５２ａ、５３ａは、各レンズ３１、３２、３３のレンズ整形要素７１、７２、７３を形成する周縁７１、７２、７３を備える。
【００８０】
さらに、それぞれのレンズ３１、３２、３３の容器４１、４２、４３のフレーム構造体５１、５２、５３は、第一の壁部材４１ａ、４２ａ、４３ａによって、特にそれぞれのレンズ３１、３２、３３の容器４１、４２、４３の壁２１、２２、２３によって覆われる、それぞれのレンズ３１、３２、３３の容器４１、４２、４３の少なくとも１つの第一のリザーバ容積Ｒ１、Ｒ２、Ｒ３を形成する第二の凹部５１ｂ、５２ｂ、５３ｂを備える。特に、それぞれのレンズ３１、３２、３３の壁部材４１ａ、４２ａ、４３ａは、それぞれのレンズの膜６１、６２、６３によって形成することができ、別個の部材として設ける必要はない。特に、光学活性領域Ｖ１、Ｖ２、Ｖ３に液体を押し込むことによって、壁部材／膜４１ａ、４２ａ、４３ａに押し込むか、または光学領域Ｖ１、Ｖ２、Ｖ３から流体Ｆ、Ｆ’、Ｆ”を送り出すことによって、部材４１ａ、４２ａ、４３ａに引っ張ることによって、アクチュエータ１１１、１１２、１１３によって動かされるピストン２０１、２０２、２０３を使用して行うことができる。
【００８１】
特に、それぞれのレンズ３１、３２、３３のレンズ容積Ｖ１、Ｖ２、Ｖ３は、流体チャネルＣ１、Ｃ２、Ｃ３を介してそれぞれのレンズ３１、３２、３３のリザーバ容積Ｒ１、Ｒ２、Ｒ３に接続することができる。流体チャネルＣ１、Ｃ２、Ｃ３は、それぞれのレンズ３１、３２、３３のフレーム構造体５１、５２、５３に形成された凹部とすることができる。
【００８２】
さらに、図９は、図８に示す実施形態の変形例を示し、ここでは、それぞれのレンズ３１、３２、３３の容器４１、４２、４３は、それぞれのレンズ３１、３２、３３のレンズ容積Ｖ１、Ｖ２、Ｖ３に接続された第二のリザーバ容積Ｒ１２、Ｒ２２、Ｒ３２を囲んでいる。第二のリザーバ容積Ｒ１２、Ｒ２２、Ｒ３２をポンピングするために、それぞれのレンズ３１、３２、３３の容器４１、４２、４３は、それぞれのレンズ３１、３２、３３の第二のリザーバ容積Ｒ１２、Ｒ２２、Ｒ３２に隣接する弾性変形可能な第二の壁部材４１ｂ、４２ｂ、４３ｂを備える。
【００８３】
第二のリザーバ容積Ｒ１２、Ｒ２２、Ｒ３２は、第一のリザーバ容積Ｒ１、Ｒ２、Ｒ３と同じアクチュエータによって、または更なるアクチュエータによって作動され得る。特に、２つのリザーバ容積を使用することにより、アクチュエータの押出／引張ストロークの低減が可能になる。
【００８４】
さらに、図９に示すように、それぞれのレンズ３１、３２、３３の第一および第二のリザーバ容積Ｒ１、Ｒ２、Ｒ３、Ｒ１２、Ｒ２２、Ｒ３３は、それぞれのレンズ３１、３２、３３の光軸に垂直な方向に互いに面することができ、それぞれのレンズ３１、３２、３３の中心レンズ容積Ｖ１、Ｖ２、Ｖ３の両側に配置することができる。
【００８５】
さらに、それぞれのレンズ３１、３２、３３の膜６１、６２、６３の前記領域６１ａ、６２ａ、６３ａを画定するためのレンズ整形要素７１、７２、７３は、別個のレンズ整形要素７１、７２、７３の形態で容器４１、４２、４３の上に配置することができる。
【００８６】
さらに、第一、第二または第三のレンズ３１、３２、３３のアクチュエータ１１１、１１２、１１３は、例えば、図１０および図１１に示す実施形態に従って形成することができる。
【００８７】
図１０は、本発明による光学ズーム装置１の可動コイルアクチュエータ１１１、１１２、１１３を示し、すなわち、それぞれのレンズ３１、３２、３３のアクチュエータ１１１、１１２、１１３は、各レンズ３１、３２、３３のアクチュエータ１１１、１１２、１１３のピストン構造２０１、２０２、２０３に接続され、アクチュエータ１１１、１１２、１１３の固定磁石２２１、２２２、２２３と相互作用するように構成された導電性コイル２１１、２１２、２１３を備え、その結果、コイル２１１、２１２、２１３に電流が発生すると、各レンズ３１、３２、３３のアクチュエータ１１１、１１２、１１３のピストン構造２０１、２０２、２０３を移動させるようになっている。ピストン構造２０１、２０２、２０３は、リザーバ膜／壁部材４１ａ、４２ａ、４３ａ／４１ｂ、４２ｂ、４３ｂに取り付けられて、それぞれのリザーバ容積内に存在する流体Ｆ、Ｆ’、Ｆ”をポンピングする。
【００８８】
それぞれのアクチュエータ１１１、１１２、１１３は、磁束を導くために固定磁石２２１、２２２、２２３に接続されたリターン構造４０１、４０２、４０３を備えることができる。
【００８９】
図１１は、可動磁石アクチュエータ１１１、１１２、１１３として構成される本発明による光学ズーム装置１のアクチュエータの代替設計を示す。ここで、それぞれのレンズ３１、３２、３３のアクチュエータ１１１、１１２、１１３は、磁石２２１、２２２、２２３を備え、磁石２２１、２２２、２２３は、それぞれのレンズ３１、３２、３３のアクチュエータ１１１、１１２、１１３のピストン構造２０１、２０２、２０３に接続され、それぞれのレンズ３１のアクチュエータ１１１、１１２、１１３の固定導電性コイル２１１、２１２、２１３と相互作用するように構成され、その結果、コイル２１１、２１２、２１３に電流が発生すると、それぞれのリザーバ容積に存在する流体Ｆ、Ｆ’、Ｆ”をポンピングするために、リザーバ膜／壁部材４１ａ、４２ａ、４３ａ／４１ｂ、４２ｂ、４３ｂに取り付けられたピストン構造２０１、２０２、２０３を移動させるようになっている。図１０および図１１では、ピストン構造２０１、２０２、２０３の移動方向（例えば、押出または引張）は、例えば、コイル２１１、２１２、２１３内の電流の方向を変えることによって変えることができる。
【００９０】
また、可動磁石アクチュエータ１１１、１１２、１１３の場合、それぞれのアクチュエータ１１１、１１２、１１３は、磁束を導くために可動磁石２２１、２２２、２２３に接続されたリターン構造４０１、４０２、４０３を備えることができる。
【００９１】
図１２は、本発明による光学ズーム装置１のレンズ（第一、第二、および／または第三のレンズ）の実施形態を示し、このレンズは、例えば両凸レンズまたは両凹レンズを形成するための硬質壁２１、２２、２３の代わりに、透明で弾性的に変形可能な膜２１、２２、２３を備える。
【００９２】
特に、それぞれのレンズ３１、３２、３３の更なる膜２１、２２、２３は、それぞれのレンズ３１、３２、３３の円周方向の更なるレンズ整形要素１７１、１７２、１７３に接続されており、調整可能な曲率を有する更なる膜２１、２２、２３の領域６１ｂ、６２ｂ、６３ｂを画定するようになっている。
【００９３】
特に、それぞれのレンズ３１、３２、３３の容器４１、４２、４３が上述のフレーム構造体５１、５２、５３を含む場合、それぞれの更なるレンズ整形要素１７１、１７２、１７３は、それぞれのレンズ３１、３２、３３のフレーム構造体５１、５２、５３の第一の凹部５１ａ、５２ａ、５３ａの更なる周縁１７１、１７２、１７３によって形成することができる。また、この実施形態では、リザーバ容積Ｒ１、Ｒ２、Ｒ３は、弾性変形可能な壁部材４１ａ、４２ａ、４３ａに押し付けるか、または壁部材４１ａ、４２ａ、４３ａを引っ張って、リザーバ容積Ｒ１、Ｒ２、Ｒ３とレンズ容積Ｖ１、Ｖ２、Ｖ３との間で流体Ｆ、Ｆ’、Ｆ”を前後にポンピングし、上述したように、それぞれのレンズ３１、３２、３３の焦点距離を調整するピストン２０１、２０２、２０３を介して作動させることができる。
【００９４】
さらに、図１３は、図１２に示す実施形態の変形例を示しており、図１３によれば、それぞれのチューナブルレンズ（例えば、第一、第二または第三）３１、３２、３３は、ピストン構造２０１、２０２、２０３を作動させるための単一のアクチュエータと、それぞれ独立したリザーバ容積Ｒ１、Ｒ２、Ｒ３、Ｒ１２、Ｒ２２、Ｒ３２に接続された２つの別個の凸レンズ／凹レンズ容積部Ｖ１１、Ｖ２１、Ｖ３１、Ｖ１２、Ｖ２２、Ｖ３２とを有する両凸レンズ／両凹レンズとして形成することができる。好ましくは、システムの各リザーバＲ１、Ｒ２、Ｒ３、Ｒ１２、Ｒ２２、Ｒ３２上で一定のストロークが使用され、個々の膜２１、２２、２３、６１、６２、６３の剛直性に依存しなくなる。さらに、両側の膜２１、２２、２３、６１、６２、６３は、それぞれのレンズ３１、３２、３３の容器４１、４２、４３全体にわたって延在することができる。
【００９５】
特に、図１３（Ａ）は、それぞれのレンズ３１、３２、３３の断面図を示し、その一方で、図１３（Ｂ）は、膜６１、６２、６３の上面図を示し、図１３（Ｃ）は、それぞれのレンズ３１、３２、３３の更なる膜２１、２２、２３の底面図を示す。
【００９６】
図１３に示すように、それぞれのレンズ３１、３２、３３のレンズ容積部Ｖ１１、Ｖ２１、Ｖ３１、Ｖ１２、Ｖ２２、Ｖ３２の分離は、透明な分離壁（例えば、ガラス）７５、７６、７７によって達成され、それぞれのレンズ３１、３２、３３の第一のレンズ容積部Ｖ１１、Ｖ２１、Ｖ３１は、それぞれのレンズ３１、３２、３３の第一のリザーバ容積Ｒ１、Ｒ２、Ｒ３に接続され、それぞれのレンズ３１、３２、３３の第二のレンズ容積部Ｖ１２、Ｖ２２、Ｖ３２は、それぞれのレンズ３１、３２、３３の第二のリザーバ容積Ｒ１２、Ｒ２２、Ｒ３２に接続される。
【００９７】
特に、それぞれのレンズ３１、３２、３３のアクチュエータ１１１、１１２、１１３は、ピストン構造２０１、２０２、２０３を介して、それぞれのレンズ３１、３２、３３の容器４１、４２、４３の第一のリザーバ容積Ｒ１、Ｒ２、Ｒ３に隣接する弾性変形可能な第一の壁部材４１ａ、４２ａ、４３ａと、第二のリザーバ容積Ｒ１２、Ｒ２２、Ｒ３２に隣接して弾性変形可能な第二の壁部材４１ｂ、４２ｂ、４３ｂとに、同時に作用して、それぞれのレンズ３１、３２、３３の第一のリザーバ容積Ｒ１、Ｒ２、Ｒ３からそれぞれのレンズ３１、３２、３３の第一のレンズ容積部Ｖ１１、Ｖ２１、Ｖ３１に流体Ｆ、Ｆ’、Ｆ”をポンピングするように（ピストン構造２０１、２０２、２０３が第一の壁部材４１ａ、４２ａ、４３ａを押し付けるように）、またはその逆（ピストン構造２０１、２０２、２０３が第一の壁部材４１ａ、４２ａ、４３ａを引っ張るように）、およびそれぞれのレンズ３１、３２、３３の第二のリザーバ容積Ｒ１２、Ｒ２２、Ｒ３２からそれぞれのレンズ３１、３２、３３の第二のレンズ容積部Ｖ１２、Ｖ２２、Ｖ３２に流体Ｆ、Ｆ’、Ｆ”をポンピングするように（ピストン構造２０１、２０２、２０３が第二の壁部材４１ｂ、４２ｂ、４３ｂを押し付けるように）、またはその逆（ピストン構造２０１、２０２、２０３が第二の壁部材４１ｂ、４２ｂ、４３ｂを引っ張るように）構成され、その結果、２つの膜６１、６２、６３、２１、２２、２３の前記領域６１ａ、６２ａ、６３ａ、６１ｂ、６１ｂ、６１ｂの曲率を変化させ、それとともに、それぞれのレンズ３１、３２、３３の焦点距離も変化させる。
【００９８】
さらに、図１３に示すように、それぞれのレンズ３１、３２、３３の膜６１、６２、６３の曲率調整可能領域６１ａ、６２ａ、６３ａは、膜６１、６２、６３上に配置されたレンズ整形要素７１、７２、７３（例えば、シェーパ環）によって画定／生成することができる。同様に、それぞれのレンズ３１、３２、３３の更なる膜２１、２２、２３の曲率調整可能領域６１ｂ、６２ｂ、６３ｂは、更なる膜２１、２２、２３上に配置された更なるレンズ整形要素７１、７２、７３によって画定／生成することができ、更なるレンズ整形要素１７１、１７２、１７３は、領域６１ｂ、６２ｂ、６３ｂのサイズに対応する開口部を備えるプレート部材として形成することができる。
【００９９】
さらに、第一のリザーバ容積Ｒ１、Ｒ２、Ｒ３は、流体チャネルＣ１、Ｃ２、Ｃ３によって、それぞれのレンズ３１、３２、３３の第一のレンズ容積部Ｖ１１、Ｖ１２、Ｖ１３に接続することができ、この流体チャネルＣ１、Ｃ２、Ｃ３は、それぞれのレンズ３１、３２、３３のレンズ整形要素７１、７２、７３の下に延在する。同様に、第二のリザーバ容積Ｒ１２、Ｒ２２、Ｒ３２は、更なる流体チャネルＣ１２、Ｃ２２、Ｃ３２によって、それぞれのレンズ３１、３２、３３の第二のレンズ容積部Ｖ１２、Ｖ２２、Ｖ３２に接続することができ、更なる流体チャネルＣ１２、Ｃ２２、Ｃ３２は、それぞれのレンズ３１、３２、３３の更なるレンズ整形要素７１、７２、７３の下に延在する。
【０１００】
さらに、図１４に関して、それぞれのリザーバ容積Ｒ１、Ｒ２、Ｒ３（またはＲ１２、Ｒ２２、Ｒ３２）を過充填して、それぞれのピストン構造２０１、２０２、２０３のストロークを増加させることができる。特に、図１４は、壁部材４１ａ、４２ａ、４３ａを押し付けるための可能なストロークＳｐｕｓｈ、それぞれのレンズ３１、３２、３３の壁部材４１ａ、４２ａ、４３ａを引っ張るためのストロークＳｐｕｌｌ、および追加のストロークＳａｄｄを示す。
【０１０１】
特に、それぞれの第一の壁部材４１ａ、４２ａ、４３ａは、特にそれぞれのピストン構造２０１、２０２、２０３がそれぞれの壁部材４１ａ、４２ａ、４３ａに押し付けられていないときに、膨出部、特に凸状の膨出部を含むことができる。
【０１０２】
特に、リザーバ容積Ｒ１、Ｒ２、Ｒ３（および／またはＲ１２、Ｒ２２、Ｒ３２）のわずかな液体過剰充填で、それぞれのリザーバ容積内への押し込み（凸状液体レンズの生成）のための可能なストロークを増加させることができる。
【０１０３】
さらに、自由膜（壁部材４１ａ、４２、４３ａ）の幅およびピストン２０１、２０２、２０３の幅を調整することによって、ストロークおよびストローク力を最適化することができる。
【０１０４】
リザーバ膜（壁部材４１ａ、４２ａ、４３ａ）の異なる膜剛直性を有することによって、力をさらに最適化することができる。
【０１０５】
さらに、図１５に示すように、ｘ方向およびｙ方向（すなわち、膜６１、６２、６３の平面に平行）に限られた空間がある場合、それぞれのレンズ３１、３２、３３の容器４１、４２、４３にステップ３０１、３０２、３０３を設けることによって、第一のリザーバ容積Ｒ１、Ｒ２、Ｒ３を増加させることができる。特に、ステップは、それぞれのレンズ３１、３２、３３の容器４１、４２、４３の壁２１、２２、２３に形成することができる。
【０１０６】
図１６は、本発明による光学ズーム装置１のレンズ（第一、第二、および／または第三のレンズ）３１、３２、３３の実施形態を示し、それぞれのレンズ３１、３２、３３の容器４１、４２、４３は、流体Ｆ、Ｆ’、Ｆ”で満たされたレンズ容積部Ｖ１、Ｖ２、Ｖ３を囲み、それぞれのレンズ３１、３２、３３の容器４１、４２、４３は、変形可能な側壁１２１、１２２、１２３をさらに備える。特に、図１６（Ａ）は、それぞれのレンズ３１、３２、３３の断面図を示し、その一方で、図１６（Ｂ）は、それぞれのレンズ３１、３２、３３の透明で弾性変形可能な膜６１、６２、６３の上面図を示す。
【０１０７】
特に、変形可能な側壁１２１、１２２、１２３は、それぞれのレンズ３１、３２、３３の環構造１３１、１３２、１３３を介して、それぞれのレンズ３１、３２、３３の容器４１、４２、４３の壁２１、２２、２３（例えば、カバーガラス）に接続され、円周レンズ整形要素７１、７２、７３を介して、それぞれのレンズ３１、３２、３３の膜６１、６２、６３に接続される。変形可能な側壁１２１、１２２、１２３によって、それぞれのレンズ３１、３２、３３の膜６１、６２、６３の領域６１ａ、６２ａ、６３ａの曲率を調整することも、それとともにそれぞれのレンズ３１、３２、３３の焦点距離を調整することも可能になる。特に、変形可能な側壁１２１、１２２、１２３は、蛇腹または可撓性膜（例えば、膜６１、６２、６３よりも厚い）とすることができる。
【０１０８】
それぞれのレンズ３１、３２、３３の焦点距離を調整するように側壁１２１、１２２、１２３を実際に変形させるために、それぞれのレンズ３１、３２、３３は、図１７によれば、アクチュエータ１１１、１１２、１１３を備える。アクチュエータ１１１、１１２、１１３は、各レンズ３１、３２、３３のレンズ整形要素７１、７２、７３、または各レンズ３１、３２、３３の容器４１、４２、４３の壁２１、２２、２３に作用して、側壁１２１、１２２、１２３を変形させることによって、第一のレンズ３１、３２、３３の膜６１、６２、６３の領域６１ａ、６２ａ、６３ａの曲率を調整し、それとともに第一のレンズ３１、３２、３３の焦点距離を調整するように構成されている。レンズ整形部材７１、７２、７３を壁２１、２２、２３から離れるように、もしくは向かうように移動させること、または壁２１、２２、２３をレンズ整形要素７１、７２、７３に向かうように、または遠ざけるように移動させることにより、膜６１、６２、６３にかかる圧力がそれに応じて変化し、これにより、それぞれのレンズ３１、３２、３３の光学活性領域６１ａ、６２ａ、６３ａの曲率に対応する変化が生じる。
【０１０９】
特に、レンズ整形要素７１，７２，７３を押し込むと、それぞれのレンズ３１，３２，３３の変形可能な側壁１２１，１２２，１２３の撓みが凸レンズ形状に導かれる。レンズ整形要素７１、７２、７３を引っ張ると、光学活性領域６１ａ、６２ａ、６３ａの膜の形が凹形状に導かれる。レンズ整形要素７１、７２、７３に非対称な力を用いることによって、それぞれのレンズ３１、３２、３３が傾斜し、光学画像安定化に使用できる傾斜レンズ形状に導かれ、代替として、レンズ整形要素７１、７２、７３を光学システムに固定することができ、押込器（例えば、ピストン構造）をそれぞれのレンズ３１、３２、３３の壁２１、２２、２３に作用させることもできる。
【図１（Ａ）】
2021521483.tif 000003
【図１（Ｂ）】
2021521483.tif 000004
【図２（Ａ）】
2021521483.tif 000005
【図２（Ｂ）】
2021521483.tif 000006
【図３（Ａ）】
2021521483.tif 000007
【図３（Ｂ）】
2021521483.tif 000008
【図４（Ａ）】
2021521483.tif 000009
【図４（Ｂ）】
2021521483.tif 000010
【図５】
2021521483.tif 000011
【図６】
2021521483.tif 000012
【図７】
2021521483.tif 000013
【図８】
2021521483.tif 000014
【図９】
2021521483.tif 000015
【図１０】
2021521483.tif 000016
【図１１】
2021521483.tif 000017
【図１２】
2021521483.tif 000018
【図１３（Ａ）】
2021521483.tif 000019
【図１３（Ｂ）】
2021521483.tif 000020
【図１３（Ｃ）】
2021521483.tif 000021
【図１４】
2021521483.tif 000022
【図１５】
2021521483.tif 000023
【図１６（Ａ）】
2021521483.tif 000024
【図１６（Ｂ）】
2021521483.tif 000025
【図１７】
2021521483.tif 000026
【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
光学ズーム装置（１）であって、
調整可能な焦点距離を有し、透明な流体（Ｆ）で満たされた容器（４１）を備える第一のレンズであって、前記第一のレンズ（３１）の前記容器（４１）が、前記第一のレンズ（３１）の前記容器（４１）の透明な壁（２１）に面する弾性的に変形可能で透明な膜（６１）を備える、第一のレンズ（３１）と、
調整可能な焦点距離を有する第二のレンズ（３２）であって、前記光学ズーム装置（１）の光路（Ａ）内で前記第一のレンズ（３１）の後方に配置され、前記第二のレンズ（３２）が、透明な流体（Ｆ’）で満たされた容器（４２）を備え、前記第二のレンズ（３２）の前記容器（４２）が、前記第二のレンズ（３２）の前記容器（４２）の透明な壁（２２）に面する弾性的に変形可能で透明な膜（６２）を備える、第二のレンズ（３２）と、
前記光路（Ａ）内に配置された光偏向装置（７０）であって、前記第二のレンズ（３２）は、前記光路（Ａ）内の前記光偏向装置（７０）の後方に配置される、光偏向装置（７０）と、
を備える、光学ズーム装置（１）。
【請求項２】
前記第一のレンズ（３１）は、前記光路（Ａ）内で、前記光偏向装置（７０）の前方または前記光偏向装置（７０）の後方に配置されることを特徴とする、請求項１に記載の光学ズーム装置。
【請求項３】
前記光学ズーム装置（１）は、調整可能な焦点距離を有する第三のレンズ（３３）を備え、前記第三のレンズ（３３）は、透明な流体（Ｆ”）で満たされた容器（４３）を備え、前記第三のレンズ（３３）の前記容器（４３）は、前記第三のレンズ（３３）の前記容器（４３）の透明な壁（２３）に面する弾性変形可能で透明な膜（６３）を備えることを特徴とする、請求項１または２に記載の光学ズーム装置。
【請求項４】
前記第三のレンズ（３３）は、前記光路（Ａ）内で前記光偏向装置（７０）の後方に配置されることを特徴とする、請求項３に記載の光学ズーム装置。
【請求項５】
前記第三のレンズ（３３）は、前記光路（Ａ）内で前記第二のレンズ（３２）の後方に配置されることを特徴とする、請求項３または４に記載の光学ズーム装置。
【請求項６】
前記光学ズーム装置（１）は、前記光路（Ａ）内に配置された開口絞り（８０）を備えることを特徴とする、請求項１〜５のいずれか一項に記載の光学ズーム装置。
【請求項７】
前記光路（Ａ）内で前記光偏向装置（７０）の後方に前記開口絞り（８０）が配置されることを特徴とする、請求項６に記載の光学ズーム装置。
【請求項８】
前記開口絞り（８０）は、前記光路（Ａ）内で、前記第一のレンズ（３１）と前記第二のレンズ（３２）との間に配置されることを特徴とする、請求項６または７に記載の光学ズーム装置。
【請求項９】
前記開口絞り（８０）は、前記光路（Ａ）内で、前記第二のレンズ（３２）と前記第三のレンズ（３３）との間に配置されることを特徴とする、請求項３〜５のいずれか一項および請求項６〜７のいずれか一項に記載の光学ズーム装置。
【請求項１０】
前記光学ズーム装置（１）は、前記光路（Ａ）内で、前記光偏向装置（７０）の前方に配置された剛性レンズ（９０）を備えることを特徴とする、請求項１〜９のいずれか一項に記載の光学ズーム装置。
【請求項１１】
前記光学ズーム装置（１）は、前記光路（Ａ）内で、前記光偏向装置（７０）の後方、および／または前記第一のレンズ（３１）の後方に配置された少なくとも１つの剛性レンズ（９１）を備えることを特徴とする、請求項１〜１０のいずれか一項に記載の光学ズーム装置。
【請求項１２】
前記光学ズーム装置（１）は、前記光路（Ａ）内で、前記第二のレンズ（３２）の後方、または前記第三のレンズ（３３）の後方に配置された画像センサ（１００）を備えることを特徴とする、請求項１〜１１のいずれか一項に記載の光学ズーム装置。
【請求項１３】
前記第一のレンズ（３１）の焦点距離を調整するために、前記第一のレンズ（３１）の前記膜（６１）は、調整可能な曲率を有する前記第一のレンズ（３１）の前記膜（６１）の領域（６１ａ）を画定すべく、前記第一のレンズ（３１）の円周レンズ整形要素（７１）に接続されること、および／または
前記第二のレンズ（３２）の焦点距離を調整するために、前記第二のレンズ（３２）の前記膜（６２）は、調整可能な曲率を有する前記第二のレンズ（３２）の前記膜（６２）の領域（６２ａ）を画定すべく、前記第二のレンズ（３２）の円周レンズ整形要素（７２）に接続されること、および／または
前記第三のレンズ（３３）の焦点距離を調整するために、前記第三のレンズ（３３）の前記膜（６３）は、調整可能な曲率を有する前記第三のレンズ（３３）の前記膜（６３）の領域（６３ａ）を画定すべく、前記第三のレンズ（３３）の円周レンズ整形要素（７３）に接続されること、
を特徴とする、請求項１〜１２のいずれか一項に記載の光学ズーム装置。
【請求項１４】
前記第一のレンズ（３１）の前記容器（４１）は、前記流体（Ｆ）で満たされたレンズ容積（Ｖ１）と、前記流体（Ｆ）で満たされ、前記第一のレンズ（３１）の前記容器（４１）の前記レンズ容積（Ｖ１）に接続された少なくとも１つの第一のリザーバ容積（Ｒ１）とを囲み、前記第一のレンズ（３１）の前記容器（４１）が、前記第一のレンズ（３１）の前記容器（４１）の前記少なくとも１つの第一のリザーバ容積（Ｒ１）に隣接する弾性変形可能な第一の壁部材（４１ａ）を備えること、および／または
前記第二のレンズ（３２）の前記容器（４２）は、前記流体（Ｆ’）で満たされたレンズ容積（Ｖ２）と、前記流体（Ｆ’）で満たされ、前記第二のレンズ（３２）の前記容器（４２）の前記レンズ容積（Ｖ２）に接続された少なくとも１つの第一のリザーバ容積（Ｒ２）とを囲み、前記第二のレンズ（３２）の前記容器（４２）が、前記第二のレンズ（３２）の前記容器（４２）の前記少なくとも１つの第一のリザーバ容積（Ｒ２）に隣接する弾性変形可能な第一の壁部材（４２ａ）を備えること、および／または
前記第三のレンズ（３３）の前記容器（４３）は、前記流体（Ｆ”）で満たされたレンズ容積（Ｖ３）と、前記流体（Ｆ”）で満たされ、前記第三のレンズ（３３）の前記容器（４３）の前記レンズ容積（Ｖ３）に接続された少なくとも１つの第一のリザーバ容積（Ｒ３）とを囲み、前記第三のレンズ（３３）の前記容器（４３）が、前記第三のレンズ（３３）の前記容器（４３）の前記少なくとも１つの第一のリザーバ容積（Ｒ３）に隣接する弾性変形可能な第一の壁部材（４３ａ）を備えること、
を特徴とする、請求項１〜１３のいずれか一項に記載の光学ズーム装置。
【請求項１５】
前記第一のレンズ（３１）の前記容器（４１）の前記弾性変形可能な第一の壁部材（４１ａ）は、前記第一のレンズ（３１）の前記膜（６１）によって形成されること、および／または
前記第二のレンズ（３２）の前記容器（４２）の前記弾性変形可能な第一の壁部材（４２ａ）は、前記第二のレンズ（３２）の前記膜（６２）によって形成されること、および／または
前記第三のレンズ（３３）の前記容器（４３）の前記弾性変形可能な第一の壁部材（４３ａ）は、前記第三のレンズ（３３）の前記膜（６３）によって形成されること、
を特徴とする、請求項１４に記載の光学ズーム装置。
【請求項１６】
前記第一のレンズ（３１）の前記容器（４１）の前記少なくとも１つの第一のリザーバ容積（Ｒ１）は、前記第一のレンズ（３１）の前記容器（４１）の前記レンズ容積（Ｖ１）に横方向に隣接して、前記第一のレンズ（３１）の光軸に垂直な方向に配置されること、および／または
前記第二のレンズ（３２）の前記容器（４２）の前記少なくとも１つの第一のリザーバ容積（Ｒ２）は、前記第二のレンズ（３２）の前記容器（４２）の前記レンズ容積（Ｖ２）に横方向に隣接して、前記第二のレンズ（３２）の光軸に垂直な方向に配置されること、および／または
前記第三のレンズ（３３）の前記容器（４３）の前記少なくとも１つの第一のリザーバ容積（Ｒ３）は、前記第三のレンズ（３３）の前記容器（４３）の前記レンズ容積（Ｖ３）に横方向に隣接して、前記第三のレンズ（３３）の光軸に垂直な方向に配置されること、
を特徴とする、請求項１４または１５に記載の光学ズーム装置。
【請求項１７】
前記第一のレンズ（３１）の前記容器（４１）は、前記第一のレンズ（３１）の前記容器（４１）の前記レンズ容積（Ｖ１）に接続された第二のリザーバ容積（Ｒ１２）を囲み、前記第一のレンズ（３１）の前記容器（４１）は、前記第一のレンズ（３１）の前記容器（４１）の前記第二のリザーバ容積（Ｒ１２）に隣接する弾性変形可能な第二の壁部材（４１ｂ）を備えること、および／または
前記第二のレンズ（３２）の前記容器（４２）は、前記第二のレンズ（３２）の前記容器（４２）の前記レンズ容積（Ｖ２）に接続された第二のリザーバ容積（Ｒ２２）を囲み、前記第二のレンズ（３２）の前記容器（４２）は、前記第二のレンズ（３２）の前記容器（４２）の前記第二のリザーバ容積（Ｒ２２）に隣接する弾性変形可能な第二の壁部材（４２ｂ）を備えること、および／または
前記第三のレンズ（３３）の前記容器（４３）は、前記第三のレンズ（３３）の前記容器（４３）の前記レンズ容積（Ｖ３）に接続された第二のリザーバ容積（Ｒ３２）を囲み、前記第三のレンズ（３３）の前記容器（４３）は、前記第三のレンズ（３３）の前記容器（４３）の前記第二のリザーバ容積（Ｒ３２）に隣接する弾性変形可能な第二の壁部材（４３ｂ）を備えること、
を特徴とする、請求項１４〜１６のいずれか一項に記載の光学ズーム装置。
【請求項１８】
前記第一のレンズ（３１）の前記容器（４１）の前記壁（２１）は、特に前記第一のレンズ（３１）の前記少なくとも１つの第一のリザーバ容積（Ｒ１）を増加させるためのステップ（３０１）を含むこと、および／または
前記第二のレンズ（３２）の前記容器（４２）の前記壁（２２）は、特に前記第二のレンズ（３２）の前記少なくとも１つの第一のリザーバ容積（Ｒ２）を増加させるためのステップ（３０２）を含むこと、および／または
前記第三のレンズ（３３）の前記容器（４３）の前記壁（２３）は、特に前記第三のレンズ（３３）の前記少なくとも１つの第一のリザーバ容積（Ｒ３）を増加させるためのステップ（３０３）を含むこと、
を特徴とする、請求項１〜１７のいずれか一項に記載の光学ズーム装置。
【請求項１９】
前記第一のレンズ（３１）の前記容器（４１）の前記第一および第二のリザーバ容積（Ｒ１、Ｒ１２）は、前記第一のレンズ（３１）の光軸に垂直な方向に互いに面し、前記第一のレンズ（３１）の前記容器（４１）の前記レンズ容積（Ｖ１）の同じ側に配置されること、または前記第一のレンズ（３１）の前記容器（４１）の前記レンズ容積（Ｖ１）の両側に配置されること、および／または
前記第二のレンズ（３２）の前記容器（４２）の前記第一および第二のリザーバ容積（Ｒ２、Ｒ２２）は、前記第二のレンズ（３２）の光軸に垂直な方向に互いに面し、前記第二のレンズ（３２）の前記容器（４２）の前記レンズ容積（Ｖ２）の同じ側に配置されること、または前記第二のレンズ（３２）の前記容器（４２）の前記レンズ容積（Ｖ２）の両側に配置されること、および／または
前記第三のレンズ（３３）の前記容器（４３）の前記第一および第二のリザーバ容積（Ｒ３、Ｒ３２）は、前記第三のレンズ（３３）の光軸に垂直な方向に互いに面し、前記第三のレンズ（３３）の前記容器（４３）の前記レンズ容積（Ｖ３）の同じ側に配置されること、または前記第三のレンズ（３３）の前記容器（４３）の前記レンズ容積（Ｖ３）の両側に配置されること、
を特徴とする、請求項１４および１７に記載の光学ズーム装置。
【請求項２０】
前記第一のレンズ（３１）の前記容器（４１）は、前記第一のレンズ（３１）の前記容器（４１）の側壁を形成するフレーム構造体（５１）を備え、前記第一のレンズ（３１）の前記容器（４１）の前記フレーム構造体（５１）は、前記第一のレンズ（３１）の前記容器（４１）の前記膜（６１）によって、特に前記第一のレンズ（３１）の前記容器（４１）の前記壁（２１）によって覆われる前記第一のレンズ（３１）の前記容器（４１）の前記レンズ容積（Ｖ１）を形成する第一の凹部（５１ａ）を備え、前記第一のレンズ（３１）の前記容器（４１）の前記フレーム構造体（５１）は、前記第一のレンズ（３１）の前記容器（４１）の前記第一の壁部材（４１ａ）によって、特に前記第一のレンズ（３１）の前記容器（４１）の前記壁（２１）によって覆われる前記第一のレンズ（３１）の前記容器（４１）の前記少なくとも１つの第一のリザーバ容積（Ｒ１）を形成する第二の凹部（５１ｂ）を備えること、および／または
前記第二のレンズ（３２）の前記容器（４２）は、前記第二のレンズ（３２）の前記容器（４２）の側壁を形成するフレーム構造体（５２）を備え、前記第二のレンズ（３２）の前記容器（４２）の前記フレーム構造体（５２）は、前記第二のレンズ（３２）の前記容器（４２）の前記膜（６２）によって、特に前記第二のレンズ（３２）の前記容器（４２）の前記壁（２２）によって覆われる前記第二のレンズ（３２）の前記容器（４２）の前記レンズ容積（Ｖ２）を形成する第一の凹部（５２ａ）を備え、前記第二のレンズ（３２）の前記容器（４２）の前記フレーム構造体（５２）は、前記第二のレンズ（３２）の前記容器（４２）の前記第一の壁部材（４２ａ）によって、特に前記第二のレンズ（３２）の前記容器（４２）の前記壁（２２）によって覆われる前記第二のレンズ（３２）の前記容器（４２）の前記少なくとも１つの第一のリザーバ容積（Ｒ２）を形成する第二の凹部（５２ｂ）を備えること、および／または
前記第三のレンズ（３３）の前記容器（４３）は、前記第三のレンズ（３３）の前記容器（４３）の側壁を形成するフレーム構造体（５３）を備え、前記第三のレンズ（３３）の前記容器（４３）の前記フレーム構造体（５３）は、前記第三のレンズ（３３）の前記容器（４３）の前記膜（６３）によって、特に前記第三のレンズ（３３）の前記容器（４３）の前記壁（２３）によって覆われる前記第三のレンズ（３３）の前記容器（４３）の前記レンズ容積（Ｖ３）を形成する第一の凹部（５３ａ）を備え、前記第三のレンズ（３３）の前記容器（４３）の前記フレーム構造体（５３）は、前記第三のレンズ（３３）の前記容器（４３）の前記第一の壁部材（４３ａ）によって、特に前記第三のレンズ（３３）の前記容器（４３）の前記壁（２３）によって覆われる前記第三のレンズ（３３）の前記容器（４３）の前記少なくとも１つの第一のリザーバ容積（Ｒ３）を形成する第二の凹部（５３ｂ）を備えること、
を特徴とする、請求項１４〜１９のいずれか一項に記載の光学ズーム装置。
【請求項２１】
前記第一のレンズ（３１）の前記容器（４１）の前記フレーム構造体（５１）が、前記第一のレンズ（３１）の前記容器（４１）の前記第二の壁部材（４１ｂ）によって、特に前記第一のレンズ（３１）の前記容器（４１）の前記壁（２１）によって覆われる、前記第一のレンズ（３１）の前記容器（４１）の前記第二のリザーバ容積（Ｒ１２）を形成する第三の凹部（５１ｃ）を備えること、および／または
前記第二のレンズ（３２）の前記容器（４２）の前記フレーム構造体（５２）は、前記第二のレンズ（３２）の前記容器（４２）の前記第二の壁部材（４２ｂ）によって、特に前記第二のレンズ（３２）の前記容器（４２）の前記壁（２２）によって覆われる、前記第二のレンズ（３２）の前記容器（４２）の前記第二のリザーバ容積（Ｒ２２）を形成する第三の凹部（５１ｃ）を備えること、および／または
前記第三のレンズ（３３）の前記容器（４３）の前記フレーム構造体（５３）は、前記第三のレンズ（３３）の前記容器（４３）の前記第二の壁部材（４３ｂ）によって、特に前記第三のレンズ（３３）の前記容器（４３）の前記壁（２３）によって覆われる、前記第三のレンズ（３３）の前記容器（４３）の前記第二のリザーバ容積（Ｒ３２）を形成する第三の凹部（５１ｃ）を備えること、
を特徴とする、請求項１７および２０に記載の光学ズーム装置。
【請求項２２】
前記第一のレンズ（３１）の前記フレーム構造体（５１）の前記第一の凹部（５１ａ）は、前記第一のレンズ（３１）の前記レンズ整形要素（７１）を形成する周縁（７１）を備えること、および／または
前記第二のレンズ（３２）の前記フレーム構造体（５２）の前記第一の凹部（５２ａ）は、前記第二のレンズ（３２）の前記レンズ整形要素（７２）を形成する周縁（７２）を備えること、および／または
前記第三のレンズ（３３）の前記フレーム構造体（５３）の前記第一の凹部（５３ａ）は、前記第三のレンズ（３３）の前記レンズ整形要素（７３）を形成する周縁（７３）を備えること、
を特徴とする、請求項１３および請求項２０または２１に記載の光学ズーム装置。
【請求項２３】
前記第一のレンズ（３１）の前記容器（４１）の前記壁（２１）は、弾性的に変形可能で透明な更なる膜（２１）であること、および／または
前記第二のレンズ（３２）の前記容器（４２）の前記壁（２２）は、弾性的に変形可能で透明な更なる膜（２２）であること、および／または
前記第三のレンズ（３３）の前記容器（４３）の前記壁（２３）は、弾性的に変形可能で透明な更なる膜（２３）であること、
を特徴とする、請求項１〜２２のいずれか一項に記載の光学ズーム装置。
【請求項２４】
前記第一のレンズ（３１）の前記更なる膜（２１）は、調整可能な曲率を有する前記第一のレンズ（３１）の前記更なる膜（２１）の領域（６１ｂ）を画定するために、前記第一のレンズ（３１）の更なる円周レンズ整形要素（１７１）に接続されること、および／または、
前記第二のレンズ（３２）の前記更なる膜（２２）は、調整可能な曲率を有する前記第二のレンズ（３２）の前記更なる膜（２２）の領域（６２ｂ）を画定するために、前記第二のレンズ（３２）の更なる円周レンズ整形要素（１７２）に接続されること、および／または
前記第三のレンズ（３３）の前記更なる膜（２３）は、調整可能な曲率を有する前記第三のレンズ（３３）の前記更なる膜（２３）の領域（６３ｂ）を画定するために、前記第三のレンズ（３３）の更なる円周レンズ整形要素（１７３）に接続されること、
を特徴とする、請求項２３に記載の光学ズーム装置。
【請求項２５】
前記第一のレンズ（３１）の前記フレーム構造体（５１）の前記第一の凹部（５１ａ）は、前記第一のレンズ（３１）の前記更なるレンズ整形要素（１７１）を形成する更なる周縁（１７１）を備えること、および／または
前記第二のレンズ（３２）の前記フレーム構造体（５２）の前記第一の凹部（５２ａ）は、前記第二のレンズ（３２）の前記更なるレンズ整形要素（１７２）を形成する更なる周縁（１７２）を備えること、および／または
前記第三のレンズ（３３）の前記フレーム構造体（５３）の前記第一の凹部（５３ａ）は、前記第三のレンズ（３３）の前記更なるレンズ整形要素（１７３）を形成する更なる周縁（１７３）を備えること、
を特徴とする、請求項２０および２４に記載の光学ズーム装置。
【請求項２６】
前記第一のレンズ（３１）の前記レンズ容積（Ｖ１）は、透明な分離壁（７５）によって、第一のレンズ容積部（Ｖ１１）と第二のレンズ容積部（Ｖ１２）とに分離され、前記第一のレンズ（３１）の前記第一のレンズ容積部（Ｖ１１）は、前記第一のレンズ（３１）の前記第一のリザーバ容積（Ｒ１）に接続され、前記第一のレンズ（３１）の前記第二のレンズ容積部（Ｖ１２）は、前記第一のレンズ（３１）の前記第二のリザーバ容積（Ｒ１２）に接続されること、および／または
前記第二のレンズ（３２）の前記レンズ容積（Ｖ２）は、透明な分離壁（７６）によって、第一のレンズ容積部（Ｖ２１）と第二のレンズ容積部（Ｖ２２）とに分離され、前記第二のレンズ（３２）の前記第一のレンズ容積部（Ｖ２１）は、前記第二のレンズ（３２）の前記第一のリザーバ容積（Ｒ２）に接続され、前記第二のレンズ（３１）の前記第二のレンズ容積部（Ｖ２２）は、前記第二のレンズ（３２）の前記第二のリザーバ容積（Ｒ２２）に接続されること、および／または
前記第三のレンズ（３３）の前記レンズ容積（Ｖ３）は、透明な分離壁（７７）によって、第一のレンズ容積部（Ｖ３１）と第二のレンズ容積部（Ｖ３２）とに分離され、前記第三のレンズ（３３）の前記第一のレンズ容積部（Ｖ３１）は、前記第三のレンズ（３３）の前記第一のリザーバ容積（Ｒ３）に接続され、前記第三のレンズ（３３）の前記第二のレンズ容積部（Ｖ３２）は、前記第三のレンズ（３３）の前記第二のリザーバ容積（Ｒ３２）に接続されること、
を特徴とする、請求項１４〜２５に記載のいずれか一項に記載の光学ズーム装置。
【請求項２７】
前記第一のレンズ（３１）は、前記第一のレンズ（３１）の前記容器（４１）の前記弾性変形可能な第一の壁部材（４１ａ）に作用して、前記第一のレンズ（３１）の前記少なくとも１つの第一のリザーバ容積（Ｒ１）から前記第一のレンズ（３１）の前記レンズ容積（Ｖ１）内に、または前記第一のレンズ（３１）の前記レンズ容積（Ｖ１）から前記第一のレンズ（３１）の前記少なくとも１つの第一のリザーバ容積（Ｒ１）内に流体（Ｆ）をポンピングするように構成されたアクチュエータ（１１１）を備え、前記第一のレンズ（３１）の前記膜（６１）の前記領域（６１ａ）の前記曲率を変化させ、それとともに前記第一のレンズ（３１）の前記焦点距離を変化させること、および／または
前記第二のレンズ（３２）は、前記第二のレンズ（３２）の前記容器（４２）の前記弾性変形可能な第一の壁部材（４２ａ）に作用して、前記第二のレンズ（３２）の前記少なくとも１つの第一のリザーバ容積（Ｒ２）から前記第二のレンズ（３２）の前記レンズ容積（Ｖ２）内に、または前記第二のレンズ（３２）の前記レンズ容積（Ｖ２）から前記第二のレンズ（３２）の前記少なくとも１つの第一のリザーバ容積（Ｒ２）内に流体（Ｆ’）をポンピングするように構成されたアクチュエータ（１１２）を備え、前記第二のレンズ（３２）の前記膜（６２）の前記領域（６２ａ）の前記曲率を変化させ、それとともに前記第二のレンズ（３２）の前記焦点距離を変化させること、および／または
前記第三のレンズ（３３）は、前記第三のレンズ（３３）の前記容器（４３）の前記弾性変形可能な第一の壁部材（４３ａ）に作用して、前記第三のレンズ（３３）の前記少なくとも１つの第一のリザーバ容積（Ｒ３）から前記第二のレンズ（３３）の前記レンズ容積（Ｖ３）内に、または前記第三のレンズ（３３）の前記レンズ容積（Ｖ３）から前記第三のレンズ（３３）の前記少なくとも１つの第一のリザーバ容積（Ｒ３）内に流体（Ｆ”）をポンピングするように構成されたアクチュエータ（１１３）を備え、前記第三のレンズ（３３）の前記膜（６３）の前記領域（６３ａ）の前記曲率を変化させ、それとともに前記第三のレンズ（３３）の前記焦点距離を変化させること、
を特徴とする、請求項１４〜２５のいずれか一項に記載の光学ズーム装置。
【請求項２８】
前記第一のレンズ（３１）の前記アクチュエータ（１１１）が、前記第一のレンズ（３１）の前記容器（４１）の前記弾性変形可能な第二の壁部材（４１ｂ）に作用して、前記第一のレンズ（３１）の前記第二のリザーバ容積（Ｒ１２）から前記第一のレンズ（３１）の前記レンズ容積（Ｖ１）内に、または前記第一のレンズ（３１）の前記レンズ容積（Ｖ１）から前記第一のレンズ（３１）の前記第二のリザーバ容積（Ｒ１２）内に流体（Ｆ）をポンピングするように、さらに構成され、前記第一のレンズ（３１）の前記膜（６１）の前記領域（６１ａ）の前記曲率を変化させ、それとともに前記第一のレンズ（３１）の前記焦点距離を変化させること、および／または
前記第二のレンズ（３２）の前記アクチュエータ（１１２）が、前記第二のレンズ（３２）の前記容器（４２）の前記弾性変形可能な第二の壁部材（４２ｂ）に作用して、前記第二のレンズ（３２）の前記第二のリザーバ容積（Ｒ２２）から前記第二のレンズ（３２）の前記レンズ容積（Ｖ２）内に、または前記第二のレンズ（３２）の前記レンズ容積（Ｖ２）から前記第二のレンズ（３２）の前記第二のリザーバ容積（Ｒ２２）内に流体（Ｆ’）をポンピングするように、さらに構成され、前記第二のレンズ（３２）の前記膜（６２）の前記領域（６２ａ）の前記曲率を変化させ、それとともに前記第二のレンズ（３２）の前記焦点距離を変化させること、および／または
前記第三のレンズ（３３）の前記アクチュエータ（１１３）が、前記第三のレンズ（３３）の前記容器（４３）の前記弾性変形可能な第二の壁部材（４３ｂ）に作用して、前記第三のレンズ（３３）の前記第二のリザーバ容積（Ｒ３２）から前記第三のレンズ（３３）の前記レンズ容積（Ｖ３）内に、または前記第三のレンズ（３３）の前記レンズ容積（Ｖ３）から前記第三のレンズ（３３）の前記第二のリザーバ容積（Ｒ３２）内に流体（Ｆ”）をポンピングするように、さらに構成され、前記第三のレンズ（３３）の前記膜（６３）の前記領域（６３ａ）の前記曲率を変化させ、それとともに前記第三のレンズ（３３）の前記焦点距離を変化させること、
を特徴とする、請求項１４〜２５のいずれか一項に記載の光学ズーム装置。
【請求項２９】
前記第一のレンズ（３１）は、前記第一のレンズ（３１）の前記容器（４１）の前記弾性変形可能な第一の壁部材（４１ａ）に作用して、前記第一のレンズ（３１）の前記第一のリザーバ容積（Ｒ１）から前記第一のレンズ（３１）の前記第一のレンズ容積部（Ｖ１１）内に、または前記第一のレンズ（３１）の前記第一のレンズ容積部（Ｖ１１）から前記第一のレンズ（３１）の第一のリザーバ容積（Ｒ１）内に流体（Ｆ）をポンピングするように構成されたアクチュエータ（１１１）を備え、こうして、前記第一のレンズ（３１）の前記領域（６１ａ）の前記曲率を変化させ、それとともに前記第一のレンズ（３１）の前記焦点距離を変化させること、および／または
前記第二のレンズ（３２）は、前記第二のレンズ（３２）の前記容器（４２）の前記弾性変形可能な第一の壁部材（４２ａ）に作用して、前記第二のレンズ（３２）の前記第一のリザーバ容積（Ｒ２）から前記第二のレンズ（３２）の前記第一のレンズ容積部（Ｖ２１）内に、または前記第二のレンズ（３２）の前記第一のレンズ容積部（Ｖ２１）から前記第二のレンズ（３２）の第一のリザーバ容積（Ｒ２）内に流体（Ｆ’）をポンピングするように構成されたアクチュエータ（１１２）を備え、こうして、前記第二のレンズ（３２）の前記領域（６２ａ）の前記曲率を変化させ、それとともに前記第二のレンズ（３２）の前記焦点距離を変化させること、および／または
前記第三のレンズ（３３）は、前記第三のレンズ（３３）の前記容器（４３）の前記弾性変形可能な第一の壁部材（４３ａ）に作用して、前記第三のレンズ（３３）の前記第一のリザーバ容積（Ｒ３）から前記第三のレンズ（３３）の前記第一のレンズ容積部（Ｖ３１）内に、または前記第三のレンズ（３３）の前記第一のレンズ容積部（Ｖ３１）から前記第三のレンズ（３３）の第一のリザーバ容積（Ｒ３）内に流体（Ｆ”）をポンピングするように構成されたアクチュエータ（１１３）を備え、こうして、前記第三のレンズ（３３）の前記領域（６３ａ）の前記曲率を変化させ、それとともに前記第三のレンズ（３３）の前記焦点距離を変化させること、
を特徴とする、請求項１４〜２６のいずれか一項に記載の光学ズーム装置。
【請求項３０】
前記第一のレンズ（３１）の前記アクチュエータ（１１１）は、前記第一のレンズ（３１）の前記容器（４１）の前記弾性変形可能な第二の壁部材（４１ｂ）に作用して、前記第一のレンズ（３１）の前記第二のリザーバ容積（Ｒ１２）から前記第一のレンズ（３１）の前記第二のレンズ容積部（Ｖ１２）内に、または前記第一のレンズ（３１）の前記第二のレンズ容積部（Ｖ１２）から前記第一のレンズ（３１）の前記第二のリザーバ容積（Ｒ１２）に流体（Ｆ）をポンピングするように、さらに構成され、こうして、前記第一のレンズ（３１）の前記更なる膜（２１）の前記領域（６１ｂ）の前記曲率を変化させ、それとともに前記第一のレンズ（３１）の前記焦点距離を変化させること、および／または
前記第二のレンズ（３２）の前記アクチュエータ（１１２）は、前記第二のレンズ（３２）の前記容器（４２）の前記弾性変形可能な第二の壁部材（４２ｂ）に作用して、前記第二のレンズ（３２）の前記第二のリザーバ容積（Ｒ２２）から前記第二のレンズ（３２）の前記第二のレンズ容積部（Ｖ２２）内に、または前記第二のレンズ（３２）の前記第二のレンズ容積部（Ｖ２２）から前記第二のレンズ（３２）の前記第二のリザーバ容積（Ｒ２２）に流体（Ｆ’）をポンピングするように、さらに構成され、こうして、前記第二のレンズ（３２）の前記更なる膜（２２）の前記領域（６２ｂ）の前記曲率を変化させ、それとともに前記第二のレンズ（３２）の前記焦点距離を変化させること、および／または
前記第三のレンズ（３３）の前記アクチュエータ（１１３）は、前記第三のレンズ（３３）の前記容器（４３）の前記弾性変形可能な第二の壁部材（４３ｂ）に作用して、前記第三のレンズ（３３）の前記第二のリザーバ容積（Ｒ３２）から前記第三のレンズ（３３）の前記第二のレンズ容積部（Ｖ３２）内に、または前記第三のレンズ（３３）の前記第二のレンズ容積部（Ｖ３２）から前記第三のレンズ（３３）の前記第二のリザーバ容積（Ｒ３２）に流体（Ｆ”）をポンピングするように、さらに構成され、こうして、前記第三のレンズ（３３）の前記更なる膜（２３）の前記領域（６３ｂ）の前記曲率を変化させ、それとともに前記第三のレンズ（３３）の前記焦点距離を変化させること、
を特徴とする、請求項１４〜２６のいずれか一項に記載の光学ズーム装置。
【請求項３１】
前記第一のレンズ（３１）の前記アクチュエータ（１１１）は、前記第一のレンズ（３１）の前記容器（４１）の前記弾性変形可能な第一の壁部材（４１ａ）を押したり引いたりするように、および／または前記第一のレンズ（３１）の前記容器（４１）の前記弾性変形可能な第二の壁部材（４１ｂ）を押したり引いたりするように構成されたピストン構造（２０１）を備えること、および／または
前記第二のレンズ（３２）の前記アクチュエータ（１１２）は、前記第二のレンズ（３２）の前記容器（４２）の前記弾性変形可能な第一の壁部材（４２ａ）を押したり引いたりするように、および／または前記第二のレンズ（３２）の前記容器（４２）の前記弾性変形可能な第二の壁部材（４２ｂ）を押したり引いたりするように構成されたピストン構造（２０２）を備えること、および／または
前記第三のレンズ（３３）の前記アクチュエータ（１１３）は、前記第三のレンズ（３３）の前記容器（４３）の前記弾性変形可能な第一の壁部材（４３ａ）を押したり引いたりするように、および／または前記第三のレンズ（３３）の前記容器（４３）の前記弾性変形可能な第二の壁部材（４３ｂ）を押したり引いたりするように構成されたピストン構造（２０３）を備えること、
を特徴とする、請求項２７〜３０のいずれか一項に記載の光学ズーム装置。
【請求項３２】
前記第一のレンズ（３１）の前記アクチュエータ（１１１）は、前記第一のレンズ（３１）の前記アクチュエータ（１１１）の前記ピストン構造（２０１）に接続され、前記第一のレンズ（３１）の前記アクチュエータ（１１１）の磁石（２２１）と相互作用するように構成された導電性コイル（２１１）を備え、こうして、前記第一のレンズ（３１）の前記アクチュエータ（１１１）の前記ピストン構造（２０１）を移動させるようになっていること、および／または
前記第二のレンズ（３２）の前記アクチュエータ（１１２）は、前記第二のレンズ（３２）の前記アクチュエータ（１１２）の前記ピストン構造（２０２）に接続され、前記第二のレンズ（３２）の前記アクチュエータ（１１２）の磁石（２２２）と相互作用するように構成された導電性コイル（２１２）を備え、こうして、前記第二のレンズ（３２）の前記アクチュエータ（１１２）の前記ピストン構造（２０２）を移動させるようになっていること、および／または
前記第三のレンズ（３３）の前記アクチュエータ（１１３）は、前記第三のレンズ（３３）の前記アクチュエータ（１１３）の前記ピストン構造（２０３）に接続され、前記第三のレンズ（３３）の前記アクチュエータ（１１３）の磁石（２２３）と相互作用するように構成された導電性コイル（２１３）を備え、こうして、前記第三のレンズ（３３）の前記アクチュエータ（１１３）の前記ピストン構造（２０３）を移動させるようになっていること、
を特徴とする、請求項３１に記載の光学ズーム装置。
【請求項３３】
前記第一のレンズ（３１）の前記アクチュエータ（１１１）は、前記第一のレンズ（３１）の前記アクチュエータ（１１１）の前記ピストン構造（２０１）に接続される磁石（２２１）を備え、前記第一のレンズ（３１）の前記アクチュエータ（１１１）の前記導電性コイル（２１１）と相互作用するように構成され、こうして、前記第一のレンズ（３１）の前記アクチュエータ（１１１）の前記ピストン構造（２０１）を移動させるようになっていること、および／または
前記第二のレンズ（３２）の前記アクチュエータ（１１２）は、前記第二のレンズ（３２）の前記アクチュエータ（１１２）の前記ピストン構造（２０２）に接続される磁石（２２２）を備え、前記第二のレンズ（３２）の前記アクチュエータ（１１２）の前記導電性コイル（２１２）と相互作用するように構成され、こうして、前記第二のレンズ（３２）の前記アクチュエータ（１１２）の前記ピストン構造（２０２）を移動させるようになっていること、および／または
前記第三のレンズ（３３）の前記アクチュエータ（１１３）は、前記第三のレンズ（３３）の前記アクチュエータ（１１３）の前記ピストン構造（２０３）に接続される磁石（２２３）を備え、前記第三のレンズ（３３）の前記アクチュエータ（１１３）の前記導電性コイル（２１３）と相互作用するように構成され、こうして、前記第三のレンズ（３３）の前記アクチュエータ（１１３）の前記ピストン構造（２０３）を移動させるようになっていること、
を特徴とする、請求項３１に記載の光学ズーム装置。
【請求項３４】
前記第一のレンズ（３１）の前記容器（４１）の前記少なくとも１つの第一のリザーバ（Ｒ１）が、前記第一のレンズ（３１）の前記容器（４１）の前記弾性変形可能な第一の壁部材（４１ａ）が凸状膨出部を備えるように、前記流体（Ｆ）で満たされること、および／または
前記第二のレンズ（３２）の前記容器（４２）の前記少なくとも１つの第一のリザーバ（Ｒ２）が、前記第二のレンズ（３２）の前記容器（４２）の前記弾性変形可能な第一の壁部材（４２ａ）が凸状膨出部を備えるように、前記流体（Ｆ’）で満たされること、および／または
前記第三のレンズ（３３）の前記容器（４３）の前記少なくとも１つの第一のリザーバ（Ｒ３）が、前記第三のレンズ（３３）の前記容器（４３）の前記弾性変形可能な第一の壁部材（４３ａ）が凸状膨出部を備えるように、前記流体（Ｆ”）で満たされること、
を特徴とする、請求項１４〜３３のいずれか一項に記載の光学ズーム装置。
【請求項３５】
前記第一のレンズ（３１）の前記容器（４１）の前記第二のリザーバ（Ｒ１２）は、前記第一のレンズ（３１）の前記容器（４１）の前記弾性変形可能な第二の壁部材（４１ｂ）が凸状膨出部を備えるように、前記流体（Ｆ）で満たされること、および／または
前記第二のレンズ（３２）の前記容器（４２）の前記第二のリザーバ（Ｒ２２）は、前記第二のレンズ（３２）の前記容器（４２）の前記弾性変形可能な第二の壁部材（４２ｂ）が凸状膨出部を備えるように、前記流体（Ｆ’）で満たされること、および／または
前記第三のレンズ（３３）の前記容器（４３）の前記第二のリザーバ（Ｒ３２）は、前記第三のレンズ（３３）の前記容器（４３）の前記弾性変形可能な第二の壁部材（４３ｂ）が凸状膨出部を備えるように、前記流体（Ｆ”）で満たされること、
を特徴とする、請求項１７〜３４のいずれか一項に記載の光学ズーム装置。
【請求項３６】
前記第一のレンズ（３１）の前記容器（４１）は、前記流体（Ｆ）で満たされたレンズ容積（Ｖ１）を囲み、前記第一のレンズ（３１）の前記容器（４１）は、前記第一のレンズ（３１）の前記容器（４１）の前記壁（２１）に接続された変形可能な側壁（１２１）をさらに備え、前記第一のレンズ（３１）の前記膜（６１）の前記領域（６１ａ）の前記曲率を調整し、それとともに前記第一のレンズ（３１）の前記焦点距離を調整すること、および／または
前記第二のレンズ（３２）の前記容器（４２）は、前記流体（Ｆ’）で満たされたレンズ容積（Ｖ２）を囲み、前記第二のレンズ（３２）の前記容器（４２）は、前記第二のレンズ（３２）の前記容器（４２）の前記壁（２２）に接続された変形可能な側壁（１２２）をさらに備え、前記第二のレンズ（３２）の前記膜（６２）の前記領域（６２ａ）の前記曲率を調整し、それとともに前記第二のレンズ（３２）の前記焦点距離を調整すること、および／または
前記第三のレンズ（３３）の前記容器（４３）が、前記流体（Ｆ”）で満たされたレンズ容積（Ｖ３）を囲み、前記第三のレンズ（３３）の前記容器（４３）は、前記第三のレンズ（３３）の前記容器（４３）の前記壁（２３）に接続された変形可能な側壁（１２３）をさらに備え、前記第三のレンズ（３３）の前記膜（６３）の前記領域（６３ａ）の前記曲率を調整し、それとともに前記第三のレンズ（３３）の前記焦点距離を調整すること、
を特徴とする、請求項１〜１３のいずれか一項に記載の光学ズーム装置。
【請求項３７】
前記第一のレンズ（３１）は、前記第一のレンズ（３１）の前記膜（６１）の前記領域（６１ａ）の前記曲率を調整し、それとともに前記第一のレンズ（３１）の前記焦点距離を調整するように構成されたアクチュエータ（１１１）を備え、前記第一のレンズ（３１）の前記アクチュエータ（１１１）は、前記第一のレンズ（３１）の前記レンズ整形要素（７１）または前記第一のレンズ（３１）の前記容器（４１）の前記壁（２１）に作用して、前記第一のレンズ（３１）の前記容器（４１）の前記側壁（１２１）を変形させ、前記第一のレンズ（３１）の前記膜（６１）の前記領域（６１ａ）の前記曲率を調整するように構成されること、および／または
前記第二のレンズ（３２）は、前記第二のレンズ（３２）の前記膜（６２）の前記領域（６２ａ）の前記曲率を調整し、それとともに前記第二のレンズ（３２）の前記焦点距離を調整するように構成されたアクチュエータ（１１２）を備え、前記第二のレンズ（３２）の前記アクチュエータ（１１２）は、前記第二のレンズ（３２）の前記レンズ整形要素（７２）または前記第二のレンズ（３２）の前記容器（４２）の前記壁（２２）に作用して、前記第二のレンズ（３２）の前記容器（４２）の前記側壁（１２２）を変形させ、前記第二のレンズ（３２）の前記膜（６２）の前記領域（６２ａ）の前記曲率を調整するように構成されること、および／または
前記第三のレンズ（３３）は、前記第三のレンズ（３３）の前記膜（６３）の前記領域（６３ａ）の前記曲率を調整し、それとともに前記第三のレンズ（３３）の前記焦点距離を調整するように構成されたアクチュエータ（１１３）を備え、前記第三のレンズ（３３）の前記アクチュエータ（１１３）は、前記第三のレンズ（３３）の前記レンズ整形要素（７３）または前記第三のレンズ（３３）の前記容器（４３）の前記壁（２３）に作用して、前記第三のレンズ（３３）の前記容器（４３）の前記側壁（１２３）を変形させ、前記第三のレンズ（３３）の前記膜（６３）の前記領域（６３ａ）の前記曲率を調整するように構成されること、
を特徴とする、請求項１３および３６に記載の光学ズーム装置。
【請求項３８】
前記光偏向装置（７０）は、折り返しプリズム（７０）、ミラー（７０）、傾斜可能ミラー（７０）のうちの１つであることを特徴とする、請求項１〜３７のいずれか一項に記載の光学ズーム装置。
【請求項３９】
前記第一のレンズ（３１）および前記第二のレンズ（３２）の両方が、前記光路（Ａ）に対して、前記光偏向装置（７０）の後方に配置されることを特徴とする、請求項１〜３８のいずれか一項に記載の光学ズーム装置。
【国際調査報告】
2021521483.tif 000027
2021521483.tif 000028
2021521483.tif 000029
2021521483.tif 000030
2021521483.tif 000031
2021521483.tif 000032